(57)【要約】【課題】  ＩＰ電話機と他事業者のＩＰ電話機間で着信課金サービスを提供する。【解決手段】  ＩＰ網３に接続されるＩＰ電話機１と、他ＩＰ網１０に接続されるＩＰ電話機２とが中継ＩＰ網７を経由して相互接続可能な電話網において、着信課金制御装置１２は、着信課金サービスによる発呼時に、呼接続に使用される各接続元装置２、６、８から、接続先装置６、８の着信号局コード及び接続元装置の発信号局コード２、６、８を取得する。制御装置１２は、取得した信号局コードと事業者識別情報が対応したテーブルを検索し、発及び着信号局コードに対応する事業者識別情報を取得する。制御装置１２は、事業者識別情報を基に各事業者間で予め決められた発呼側及び着呼側電話網に対応する料金レートを取得し、接続される各装置間の通話料金を計算する。制御装置１２は、所定の通話料金と課金先情報を含む料金情報をＩＰ課金管理装置１３、１４、１５に送信する。【選択図】  図１
2006197199.tif 000002
【特許請求の範囲】
【請求項１】
第１のＩＰ網に接続される第１のＩＰ電話機と、第２のＩＰ網に接続される第２のＩＰ電話機とが、ひとつ又は複数の第３のＩＰ網を介して相互接続可能な、音声又は画像信号がＩＰ網で通信される電話網において、
共通線信号網及び第１のＩＰ網に接続されて呼接続制御を行う第１のコールエージェントと、
共通線信号網及び第２のＩＰ網に接続されて呼接続制御を行う第２のコールエージェントと、
共通線信号網及び第３のＩＰ網に接続されて呼接続制御を行うひとつ又は複数の第３のコールエージェントと、
前記第１のＩＰ電話機又は第１のＩＰ網についての第１の課金管理装置と、前記第２の電話機又は第２のＩＰ網についての第２の課金管理装置と、第３のＩＰ網についてのひとつ又は複数の第３の課金管理装置とのそれぞれと所定の情報を通信し、及び、前記第１乃至第３のコールエージェントのそれぞれと共通線信号網を介して通信し、着信課金サービスの呼接続制御を行う着信課金制御装置と
を備え、
前記着信課金制御装置は、さらに、
前記第１乃至第３のコールエージェントのそれぞれの信号局コードと、各信号局コードが示す前記第１又は第２又は第３のコールエージェントを所有する事業者の事業者識別情報とが、それぞれ対応して格納される信号局コード格納部と、
前記第１乃至第３のコールエージェントの各装置のうち、接続されるふたつの装置間の発呼側の事業者識別情報及び着呼側の事業者識別情報に対応して、所定時間毎の発呼側及び着呼側の料金を示す予め定められた発呼側料金レート及び着呼側料金レートが格納される料金レート格納部と、
前記第１のＩＰ電話機と前記第２のＩＰ電話機との呼接続に使用される前記第１乃至第３のコールエージェントの各装置について、前記第１及び第３のコールエージェントから送信される、接続元側の装置の発信号局コード及び接続先側の装置の着信号局コードのひとつ又は複数の組み合わせと、前記第２のコールエージェントから送信される前記第２のコールエージェントの信号局コードが用いられた接続元側の装置の発信号局コードとが、発呼側又は着呼側から順に格納される発着信号局コード格納部と、
前記第１のＩＰ電話機と前記第２のＩＰ電話機との通話時間を計測する呼接続時間計測部と
を有する着信課金システムであって、
（Ａ）前記第１のコールエージェントは、前記第１のＩＰ電話機からの発呼を検出して、前記第１のＩＰ電話機から着信課金サービスのための着信課金サービス番号を取得して、着信課金サービス番号に応じた着呼先電話番号に基づいて、前記第２及び第３のコールエージェントを介して前記第１のＩＰ電話機と前記第２のＩＰ電話機とを呼接続させるための制御を実行し、
（Ｂ）前記着信課金制御装置は、
呼接続のための制御の際、前記第１乃至第３のコールエージェントによる課金を停止させ、
（ａ）呼が切断された後、前記発着信号局コード格納部から、発信号局コード及び着信号局コードの組み合わせのひとつを発呼側又は着呼側から順に読み込み、
読み込まれた発信号局コードを基に前記信号局コード格納部の信号局コードを検索し、該当する信号局コードに対応する事業者識別情報を発呼側の第１の事業者識別情報として取得し、及び、読み込まれた着信号局コードを基に前記信号局コード格納部の信号局コードを検索し、該当する信号局コードに対応する事業者識別情報を着呼側の第１の事業者識別情報として取得し、
前記料金レート格納部を参照し、取得された発呼側の第１の事業者識別情報及び着呼側の第１の事業者識別情報に対応する、第１の発呼側料金レートと第１の着呼側料金レートとを取得し、
取得された第１の発呼側料金レートと、前記呼接続時間計測部で計測された通話時間とに基づいて第１の通話料金を算出し、
取得された着呼側の第１の事業者識別情報を第１の課金先情報として、取得された発呼側の第１の事業者識別情報に応じた第１又は第２又は第３の課金管理装置に、第１の課金先情報と算出された第１の通話料金とを含む第１の料金情報を送信し、
取得された第１の着呼側料金レートと、前記呼接続時間計測部で計測された通話時間とに基づいて第２の通話料金を算出し、
（ｂ）前記発着信号局コード格納部から、発信号局コード及び着信号局コードの次の組み合わせを読み込み、読み込まれた発信号局コードを基に前記信号局コード格納部の信号局コードを検索し、該当する信号局コードに対応する事業者識別情報を発呼側の第２の事業者識別情報として取得し、及び、読み込まれた着信号局コードを基に前記信号局コード格納部の信号局コードを検索し、該当する信号局コードに対応する事業者識別情報を着呼側の第２の事業者識別情報として取得し、
前記料金レート格納部を検索し、取得された発呼側の第２の事業者識別情報及び着呼側の第２の事業者識別情報に対応する、第２の発呼側料金レートと第２の着呼側料金レートとを取得し、
取得された第２の発呼側料金レートと前記呼接続時間計測部で計測された通話時間とに基づいて第３の通話料金を算出し、
取得された着呼側の第２の事業者識別情報を第２の課金先情報とし、取得された発呼側の第２の事業者識別情報に応じた前記第１又は第２又は第３の課金管理装置に、第２の課金先情報と算出された第１乃至第３の通話料金の合計とを含む第２の料金情報を送信し、
取得された第２の着呼側料金レートと前記呼接続時間計測部で計測された通話時間とに基づいて第４の通話料金を算出し、
（ｃ）前記発着信号局コード格納部から、前記第２のコールエージェントから受信され格納された発信号局コードを読み込み、読み込まれた発信号局コードを基に前記信号局コード格納部の信号局コードを参照し、該当する信号局コードに対応する事業者識別情報を発呼側の第３の事業者識別情報として取得し、
前記第１のＩＰ電話機からの着信課金サービス番号に応じた着呼先電話番号を第３の課金先情報とし、取得された発呼側の第３の事業者識別情報に応じた前記第１又は第２又は第３の課金管理装置に、第３の課金先情報と算出された第１乃至第４の通話料金の合計とを含む第３の料金情報を送信する
前記着信課金システム。
【請求項２】
前記第１乃至第３のコールエージェントは、着呼先電話番号に対応して、呼接続先の装置の着信号局コードが格納される呼接続情報格納部をそれぞれ有し、
前記第１及び第３のコールエージェントは、前記呼接続情報格納部を参照して着呼先電話番号に対応する着信号局コードを取得し、予め設定された自装置の発信号局コードと、取得された着信号局コードとを前記着信課金制御装置に送信し、
前記第２のコールエージェントは、予め設定された自装置の発信号局コードを前記着信課金制御装置に送信し、
前記着信課金制御装置は、
前記第１及び第３のコールエージェントからの発信号局コード及び着信号局コードを受信し、及び、前記第２のコールエージェントからの発信号局コードを受信し、
受信された発信号局コード及び着信号局コードの組み合わせ、及び、前記第２のコールエージェントからの発信号局コードを、発呼側又は着呼側から順に前記発着信号局コード格納部に格納し、
呼が切断された後に、該発信号局コード及び／又は着信号局コードが発呼側又は着呼側から順次読み込まれる請求項１に記載の着信課金システム。
【請求項３】
前記発着信号局コード格納部には、前記第１のコールエージェントの信号局コード及び前記第３のコールエージェントの信号局コードの組み合わせと、前記第３のコールエージェントの信号局コード及び前記第２のコールエージェントの信号局コードの組み合わせと、前記第２のコールエージェントの信号局コードとが順に格納され、
前記着呼側の第１の事業者識別情報及び第１の課金先情報は、前記第３のコールエージェントを所有する第３のＩＰ事業者の事業者識別情報であり、第３のＩＰ事業者の事業者識別情報を第１の課金先情報として含む前記第１の料金情報は、前記第１の課金管理装置に送信され、
前記着呼側の第２の事業者識別情報及び第２の課金先情報は、前記前記第２のコールエージェントを所有する第２のＩＰ事業者の事業者識別情報であり、第２のＩＰ事業者の事業者識別情報を第２の課金先情報として含む前記第２の料金情報は、前記第３の課金管理装置に送信され、
前記第３の料金情報は前記第２の課金管理装置に送信される請求項１に記載の着信課金システム。
【請求項４】
前記第１乃至第３のコールエージェントは、
着呼先電話番号に対応して、呼接続先の装置のＩＰアドレス又は着呼先の前記第２のＩＰ電話機のＩＰアドレスと、呼接続先の装置の着信号局コードとが予め記憶された呼接続情報格納部をそれぞれ有し、
前記着信課金制御装置、及び、接続元呼制御装置としての前記第１のコールエージェントは、（１）前記接続元呼制御装置による課金を停止させることと、（２）前記接続元呼制御装置が自己の前記呼接続情報格納部を参照して、受信された着呼先電話番号に対応するＩＰアドレス及び着信号局コードを取得することを含む第１の処理を実行し、
前記着信課金制御装置及び接続元呼制御装置としての前記第１のコールエージェントは、接続先呼制御装置としての前記第３のコールエージェントとの接続について、（３）前記接続元呼制御装置が、予め設定された自装置の発信号局コードと、第１の処理において取得された着信号局コードとを、前記着信課金制御装置に送信することと、（４）前記着信課金制御装置が、発信号局コード及び着信号局コードを受信し、受信した発信号局コード及び着信号局コードの組み合わせを前記発着信号局コード格納部に格納することと、（５）前記接続元呼制御装置が、第１の処理において取得されたＩＰアドレスに基づき、前記接続先制御装置と接続することを含む第２の処理を実行し、
前記着信課金制御装置及び接続元呼制御装置としての前記第３のコールエージェントは、第１の処理を実行し、及び、接続先呼制御装置としての前記第２のコールエージェントとの接続について第２の処理を実行し、
前記着信課金制御装置及び接続元呼制御装置としての前記第２のコールエージェントは、第１の処理を実行し、及び、前記第２のコールエージェントは、第１の処理において取得されたＩＰアドレスに基づき、前記第２のＩＰ電話機と接続することを含む請求項１に記載の着信課金システム。
【請求項５】
前記料金レート格納部は、
発呼側の事業者識別情報及び着呼側の事業者識別情報に対応して、予め定められた発呼側料金レートと着呼側料金レートとの複数の組み合わせと、料金レートの複数の組み合わせのひとつを選択するための予め定められた課金形態情報とを含み、
前記着信課金制御装置による第１の発呼側料金レート及び第１の着呼側料金レートの取得は、前記料金レート格納部の発呼側の事業者識別情報及び着呼側の事業者識別情報がそれぞれ、取得された発呼側の第１の事業者識別情報及び着呼側の第１の事業者識別情報と一致し、且つ、課金形態情報が示す発呼側料金レート及び着呼側料金レートを取得することを含み、
前記着信課金制御装置による第２の発呼側料金レート及び第２の着呼側料金レートの取得は、前記料金レート格納部の発呼側の事業者識別情報及び着呼側の事業者識別情報がそれぞれ、取得された発呼側の第２の事業者識別情報及び着呼側の第２の事業者識別情報と一致し、且つ、課金形態情報が示す発呼側料金レート及び着呼側料金レートを取得することを含む請求項１に記載の着信課金システム。
【請求項６】
前記着信課金制御装置は、着信課金サービスのための着信課金サービス番号に対応して着呼先電話番号が格納される着信課金サービス番号格納部
をさらに備え、
前記第１のコールエージェントは、前記第１のＩＰ電話機からの発呼を検出して、前記第１のＩＰ電話機から着信課金サービス番号を取得して前記着信課金制御装置に送信し、
前記着信課金制御装置は、着信課金サービス番号を受信し、前記着信課金サービス番号格納部を参照して、受信された着信課金サービス番号に対応する着呼先電話番号を取得して前記第１のコールエージェントに送信し、
前記第１のコールエージェントは、着呼先電話番号を受信し、着呼先電話番号に基づいて、前記第２及び第３のコールエージェントを介して前記第１のＩＰ電話機と前記第２のＩＰ電話機とを接続させるための制御を実行する請求項１に記載の着信課金システム。
【請求項７】
前記第３のＩＰ網は、複数のＩＰ網で構成され、
前記第３のコールエージェントは、複数の第３のＩＰ網のそれぞれに応じて複数備えられ、
前記着信課金制御装置は、第４の通話料金の算出後、さらに、
（ｄ）前記発着信号局コード格納部から、発信号局コード及び着信号局コードの次の組み合わせを読み込み、読み込まれた発信号局コードを基に前記信号局コード格納部の信号局コードを検索し、該当する信号局コードに対応する事業者識別情報を発呼側の第４の事業者識別情報として取得し、及び、読み込まれた着信号局コードを基に前記信号局コード格納部の信号局コードを検索し、該当する信号局コードに対応する事業者識別情報を着呼側の第４の事業者識別情報として取得することと、
前記料金レート格納部を検索し、取得された発呼側の第４の事業者識別情報及び着呼側の第４の事業者識別情報に対応する、第３の発呼側料金レートと第３の着呼側料金レートとを取得することと、
取得された第３の発呼側料金レートと前記呼接続時間計測部で計測された通話時間とに基づいて第５の通話料金を算出することと、
取得された着呼側の第４の事業者識別情報を第４の課金先情報とし、取得された発呼側の第４の事業者識別情報に応じた前記第１又は第２又は第３の課金管理装置に、第４の課金先情報と算出された第１乃至第５の通話料金の合計とを含む第４の料金情報を送信し、
取得された第３の着呼側料金レートと前記呼接続時間計測部で計測された通話時間とに基づいて第６の通話料金を算出することと
を、前記発着信号局コード格納部に記憶された着信号局コードがなくなるまで繰り返し、及び、
第３の課金先情報と、算出された第１乃至第４の通話料金の合計に、算出されたひとつ又は複数の第５の通話料金及び第６の通話料金をさらに加算した値とを、第３の料金情報に含めて送信する請求項１に記載の着信課金システム。
【請求項８】
第１のＩＰ網に接続される第１のＩＰ電話機と、第２のＩＰ網に接続される第２のＩＰ電話機とが、ひとつ又は複数の第３のＩＰ網を介して相互接続可能な、音声又は画像信号がＩＰ網で通信される電話網において、共通線信号網及び第１のＩＰ網に接続されて呼接続制御を行う第１のコールエージェントと、共通線信号網及び第２のＩＰ網に接続されて呼接続制御を行う第２のコールエージェントと、共通線信号網及び第３のＩＰ網に接続されて呼接続制御を行うひとつ又は複数の第３のコールエージェントと、前記第１のＩＰ電話機又は第１のＩＰ網についての第１の課金管理装置と、前記第２の電話機又は第２のＩＰ網についての第２の課金管理装置と、第３のＩＰ網についてのひとつ又は複数の第３の課金管理装置とのそれぞれと所定の情報を通信し、及び、前記第１乃至第３のコールエージェントのそれぞれと共通線信号網を介して通信し、着信課金サービスの呼接続制御を行う着信課金制御装置とを備えた着信課金システムにおける着信課金方法であって、
（Ａ）第１のコールエージェントは、第１のＩＰ電話機からの発呼を検出して、第１のＩＰ電話機から着信課金サービスのための着信課金サービス番号を取得して、着信課金サービス番号に応じた着呼先電話番号に基づいて、第２及び第３のコールエージェントを介して第１のＩＰ電話機と第２のＩＰ電話機とを呼接続させるための制御を実行するステップと、
（Ｂ）着信課金制御装置は、
呼接続のための制御の際、第１乃至第３のコールエージェントによる課金を停止させるステップと、
（ａ）呼が切断された後、第１のＩＰ電話機と第２のＩＰ電話機との呼接続に使用される第１乃至第３のコールエージェントの各装置について、第１及び第３のコールエージェントから送信される、接続元側の装置の発信号局コード及び接続先側の装置の着信号局コードのひとつ又は複数の組み合わせと、第２のコールエージェントから送信される第２のコールエージェントの信号局コードが用いられた接続元側の装置の発信号局コードとが、発呼側又は着呼側から順に格納される発着信号局コード格納部から、発信号局コード及び着信号局コードの組み合わせのひとつを発呼側又は着呼側から順に読み込むステップと、
読み込まれた発信号局コードを基に、第１乃至第３のコールエージェントのそれぞれの信号局コードと、各信号局コードが示す第１又は第２又は第３のコールエージェントを所有する事業者の事業者識別情報とが、それぞれ対応して格納される信号局コード格納部の信号局コードを検索し、該当する信号局コードに対応する事業者識別情報を発呼側の第１の事業者識別情報として取得し、及び、読み込まれた着信号局コードを基に信号局コード格納部の信号局コードを検索し、該当する信号局コードに対応する事業者識別情報を着呼側の第１の事業者識別情報として取得するステップと、
第１乃至第３のコールエージェントの各装置のうち、接続されるふたつの装置間の発呼側の事業者識別情報及び着呼側の事業者識別情報に対応して、所定時間毎の発呼側及び着呼側の料金を示す予め定められた発呼側料金レート及び着呼側料金レートが格納される料金レート格納部を参照し、取得された発呼側の第１の事業者識別情報及び着呼側の第１の事業者識別情報に対応する、第１の発呼側料金レートと第１の着呼側料金レートとを取得するステップと、
取得された第１の発呼側料金レートと、第１のＩＰ電話機と第２のＩＰ電話機との計測された通話時間とに基づいて第１の通話料金を算出するステップと、
取得された着呼側の第１の事業者識別情報を第１の課金先情報として、取得された発呼側の第１の事業者識別情報に応じた第１又は第２又は第３の課金管理装置に、第１の課金先情報と算出された第１の通話料金とを含む第１の料金情報を送信するステップと、
取得された第１の着呼側料金レートと、呼接続時間計測部で計測された通話時間とに基づいて第２の通話料金を算出するステップと、
（ｂ）発着信号局コード格納部から、発信号局コード及び着信号局コードの次の組み合わせを読み込み、読み込まれた発信号局コードを基に信号局コード格納部の信号局コードを検索し、該当する信号局コードに対応する事業者識別情報を発呼側の第２の事業者識別情報として取得し、及び、読み込まれた着信号局コードを基に信号局コード格納部の信号局コードを検索し、該当する信号局コードに対応する事業者識別情報を着呼側の第２の事業者識別情報として取得するステップと、
料金レート格納部を検索し、取得された発呼側の第２の事業者識別情報及び着呼側の第２の事業者識別情報に対応する、第２の発呼側料金レートと第２の着呼側料金レートとを取得するステップと、
取得された第２の発呼側料金レートと呼接続時間計測部で計測された通話時間とに基づいて第３の通話料金を算出するステップと、
取得された着呼側の第２の事業者識別情報を第２の課金先情報とし、取得された発呼側の第２の事業者識別情報に応じた第１又は第２又は第３の課金管理装置に、第２の課金先情報と算出された第１乃至第３の通話料金の合計とを含む第２の料金情報を送信するステップと、
取得された第２の着呼側料金レートと呼接続時間計測部で計測された通話時間とに基づいて第４の通話料金を算出するステップと、
（ｃ）発着信号局コード格納部から、第２のコールエージェントから受信され格納された発信号局コードを読み込み、読み込まれた発信号局コードを基に信号局コード格納部の信号局コードを参照し、該当する信号局コードに対応する事業者識別情報を発呼側の第３の事業者識別情報として取得するステップと、
第１のＩＰ電話機からの着信課金サービス番号に応じた着呼先電話番号を第３の課金先情報とし、取得された発呼側の第３の事業者識別情報に応じた第１又は第２又は第３の課金管理装置に、第３の課金先情報と算出された第１乃至第４の通話料金の合計とを含む第３の料金情報を送信するステップと
を含む前記着信課金方法。
【発明の詳細な説明】
【技術分野】
【０００１】
本発明は、着信課金システム及び着信課金方法に係り、特に、ＩＰ電話機と他事業者のＩＰ電話機との相互接続が可能な電話網における着信課金サービスを提供するための着信課金システム及び着信課金方法に関する。
【背景技術】
【０００２】
ＶｏＩＰ（ＶｏＩＰ：Ｖｏｉｃｅ  ｏｖｅｒ  Ｉｎｔｅｒｎｅｔ  Ｐｒｏｔｏｃｏｌ）技術を基盤としたＩＰ（ＩＰ：Ｉｎｔｅｒｎｅｔ  Ｐｒｏｔｏｃｏｌ）電話が急速に普及し、既存の公衆回線電話網（ＰＳＴＮ：Ｐｕｂｌｉｃ  Ｓｗｉｔｃｈｉｎｇ  Ｔｅｌｅｐｈｏｎｅ  Ｎｅｔｗｏｒｋ）との相互接続についても実現が可能となった。次のステップとしては、異なるＩＰ電話事業者間での相互接続の実現が求められるが、ＩＰ事業者毎に適用している呼接続プロトコルが異なる等の要因から、容易には実現できない。そこで、事業者が異なるＩＰ電話網の相互接続に必ず１度、ＰＳＴＮが呼の中継を行うことでＩＰ事業者間の呼接続プロトコル種別の違いを吸収するという網構成が組まれている（例えば、非特許文献１参照）。尚、この構成は中継網としてＰＳＴＮを活用するが、他電話事業者間の制御信号の通信網である共通線信号網を除き、音声信号系のＰＳＴＮは老朽化に伴って導入が安価なＩＰ網に置き換えられ、音声信号処理系が全てＩＰ網で構成される網モデルに置き換わることが想定される。
【０００３】
従来、ＩＰ電話は定額料金にてサービスが行われている為、通話料金無料のイメージが強いが、前述のようなＰＳＴＮによる中継や、中継ＩＰ網による中継や、他ＩＰ電話事業者への着呼については、ＩＰ電話の発呼者に対して定額料金の他に他事業者電話網の利用料金が発生し、電話使用料金の割高感を与えることになる。従って、これまでは必要視されていなかったが、従来からの高機能電話サービスの一つである着信課金サービスの需要が、ＩＰ電話においても高まることが考えられる。
【０００４】
着信課金サービスの一例として、ＰＳＴＮにおいて、特定の発信者からの着信に対して着信側で課金する通信を可能とする着信課金方法及びシステムが知られている（例えば、特許文献１参照）。ＰＳＴＮにおける着信課金サービスの概略を説明すると、共通線信号網を介して交換機と接続しているインテリジェントネットワーク（ＩＮ：Ｉｎｔｅｌｌｉｇｅｎｔ  Ｎｅｔｗｏｒｋ）装置内にある着信課金サービス提供用のデータベースに、着信課金サービス番号と着信課金サービス契約者の着呼先電話番号を対応付けて登録し、交換機が着信課金サービス契約者に対する発呼を検出した場合に、着呼先電話番号より着信課金サービス対象であることを識別して、該着信課金用電話番号をＩＮ装置の一種である網サービス制御局に通知する。網サービス制御局は、該着信課金用電話番号に対応する電話番号をデータベースから検索して、該電話番号を発交換機に通知することで、発交換機に該電話番号に対する呼接続処理を実施させる。同時に、網サービス制御局は発交換機に対し発呼者への課金停止を指示する。通話終了時、網サービス制御局は通話料金の課金先を着呼先電話番号に設定した料金情報を作成し、料金計算センタに送信する。以上のような方法でＰＳＴＮでは着信課金サービスを提供している。
【０００５】
一方、ＩＰ網と事業者が異なるＩＰ網との間の呼接続では、各ＩＰ網同士の音声信号インタフェースとなるゲートウェイ（ＧＷ：Ｇａｔｅｗａｙ）と、ＩＰ網に接続して共通線信号の送受信を行うシグナリングゲートウェイ（ＳＧ：Ｓｉｇｎａｌｉｎｇ  Ｇａｔｅｗａｙ）と、ＳＧで受信した共通線信号をＭＧＣＰ（ＭＧＣＰ：Ｍｅｄｉａ  Ｇａｔｅｗａｙ  Ｃｏｎｔｒｏｌ  Ｐｒｏｔｏｃｏｌ）等のＭＧ制御用信号に変換して通信しＭＧ制御を行うコールエージェント（ＣＡ：Ｃａｌｌ  Ａｇｅｎｔ、以下ＣＡ）を配備することによりＩＰ網と事業者が異なるＩＰ網との相互接続を実現することができる。
【０００６】
この方式の１例の概要を説明すれば、まず、ＩＰ電話加入者がＩＰ電話から異なるＩＰ網のＩＰ電話に対して発呼した場合、ＣＡが発呼元電話番号及び着呼先電話番号を受信し、着呼先電話番号に含まれる例えば、０５０番号の後に続く４桁の事業者識別番号から、次に接続するＩＰ事業者を検索し、任意の呼接続プロトコルに従ってＧＷと呼接続する。更に着呼先電話番号を基にＣＡを介してＩＰ電話加入者と通話できる呼接続方式となっている。
【０００７】
また、ＩＰ網と事業者が異なるＩＰ網との間の呼接続による課金方法に関しては、ＰＳＴＮとＩＰ網の通話の呼接続による課金方法と同様な方法になると予想される。ここで、ＰＳＴＮとＩＰ網の通話の呼接続による課金方法について説明すると、ＣＡがＩＰ網内使用料金及びＩＰ網とＰＳＴＮ間で発生する事業者間接続料金を算出して、ＩＰ事業者がＩＰ電話所有者に対して料金を請求し、また、着呼先であるＰＳＴＮ加入電話を収容しているＰＳＴＮでは、交換機の使用料金を課金して、ＩＰ事業者に対して使用料金を請求するといった課金方式を採用している（例えば、非特許文献２参照）。
【特許文献１】特開２００１−３０９０８８号公報
【非特許文献１】「日経コミュニケーション」、日経ＢＰ社、２００４年２月９日号、Ｐ４２〜Ｐ４５
【非特許文献２】「日経コミュニケーション」、日経ＢＰ社、２００３年３月３日号、Ｐ８９、図２−２
【発明の開示】
【発明が解決しようとする課題】
【０００８】
以上のように、ＰＳＴＮにおける着信課金サービスや、ＰＳＴＮとＩＰ網の電話相互接続及び課金方法については、各々実現されている技術であるが、電話事業者が異なる２つ以上の電話網において着信課金サービスを行う場合、上記技術の組合せだけでは、以下に述べるような課題が発生することとなる。以下に、異なる３つの電話事業者を介する通話において、着信課金サービスを行おうとした場合の課題を示す。
【０００９】
まず、課題のひとつとして、誤課金の防止が挙げられる。第１のＩＰ網が収容するＩＰ電話機Ａが発呼し、第２のＩＰ網が中継を行い、第３のＩＰ網が収容するＩＰ電話機Ｂに着呼する際の呼接続において、発呼者からの着信課金サービス番号を認識するのは、該発呼者電話機を収容する第１のＩＰ網のＣＡになると想定できる。しかし、ＣＡが着信課金サービス番号から着呼先電話番号を検出し、呼接続処理を実行したとしても、呼の接続先となる第２のＩＰ電話事業者網及び第３のＩＰ電話事業者網においては、該呼が着信課金サービス対象であることを認知する手段がなく、通常の呼接続と見なして発呼者側への課金を実施してしまう。即ち、着信課金が成立せず、場合によっては発着双方への重複課金が発生する。
【００１０】
他の課題として、着信課金の請求先事業者及び徴収する通話料金の分配先や分配額が特定できないことが挙げられる。通常、網サービス制御局は、着信課金サービス番号と着信先電話番号を対応付けたデータベースを保持するが、本データベースの情報だけでは着呼者を収容する事業者が特定できない。なぜならば、着呼先電話番号は、電話番号内に事業者番号を表しているものの、１つの事業者番号が複数の事業者を示す場合がある為である。また、該データベース情報だけでは、中継網の情報は反映されておらず、網使用料金の分配対象から外れてしまう。更に、網使用料金は、事業者毎に異なっており、徴収すべき料金や徴収した料金の各事業者への分配額が決定できないという課題も存在する。
【００１１】
本発明は、以上の点に鑑み、着信課金サービスを実現するための着信課金制御システム及び着信課金制御方法を提供することを目的とする。また、本発明は、第１のＩＰ網が収容するＩＰ電話機が発呼し、第２のＩＰ網が中継を行い、第３のＩＰ網が収容するＩＰ電話機に着呼する場合に、着信課金サービス提供を実現することを目的とうする。また、本発明は、着信課金サービスの支払い側となる企業や商店等にとっては、ＩＰ電話事業者と該サービス契約することで、支払い額の低減が見込まれるシステム及び方法を提供することを目的とする。
【課題を解決するための手段】
【００１２】
上述の課題のひとつは、網サービス制御局のような着信課金制御装置が、呼接続制御を実施するＣＡや交換機との間で、互いの個体を特定する識別子である信号局コードをやりとりすることで制御対象装置を明確にし、事業者間課金の停止指示を発行する等の制御を行うことで解決される。
【００１３】
また、他の課題は、着信課金制御装置が信号局コードと事業者情報を対応させたテーブルを保持し、ＣＡや交換機との間で取得した信号局コードを基に信号局コードに対応する事業者情報を取得することにより、着呼先電話番号を収容する電話事業者や、中継を行った電話事業者の事業者情報を取得することで、課金先の特定や、使用した網のそれぞれの使用料金を決定することで解決される。
【００１４】
例えば、ＩＰ網に接続されるＩＰ電話機と、他ＩＰ網に接続されるＩＰ電話機とが中継ＩＰ網を経由してＩＰ電話機同士が相互接続可能な電話網において、着信課金サービスによる発呼時に、呼接続元呼制御装置と呼接続先呼制御装置を制御する着信課金制御装置が呼接続元呼制御装置に対して呼接続先呼制御装置と接続する前に、接続元装置に着呼先電話番号を収容しているか否かを問い合わせ、着呼先電話番号を収容していない場合に、呼接続元呼制御装置に呼接続先呼制御装置の信号局コードを問い合わせ、問い合せた着信号局コードを基に着信課金制御装置が共通線信号網を介して呼接続先呼制御装置と接続し、着信課金制御装置が呼接続元呼制御装置に対して着信課金サービスによる接続であるという情報を送信して、着信課金サービスのための呼接続を実現する。また、例えば、着信課金制御装置が着信号局コードを取得する際に、呼接続先呼制御装置の信号局コードと共に呼接続元呼制御装置の信号局コードを取得し、取得した信号局コードと事業者情報が対応したテーブルを検索して、検索した信号局コードに対応する事業者情報を取得して、着信課金サービス契約者が契約している電話事業者を検索する。
【００１５】
また、例えば、着信課金制御装置が呼接続元呼制御装置に対して着信課金サービスによる接続であるという情報を送信する際に、同時に、呼接続先呼制御装置に課金停止を指示する。例えば、各事業者間で予め決められた発呼側電話網と着呼側電話網に対応する料金レートのテーブルを具備し、料金レートのテーブルを検索して事業者間の料金レートを取得する。
【００１６】
本発明の第１の解決手段によると、
第１のＩＰ網に接続される第１のＩＰ電話機と、第２のＩＰ網に接続される第２のＩＰ電話機とが、ひとつ又は複数の第３のＩＰ網を介して相互接続可能な、音声又は画像信号がＩＰ網で通信される電話網において、
共通線信号網及び第１のＩＰ網に接続されて呼接続制御を行う第１のコールエージェントと、
共通線信号網及び第２のＩＰ網に接続されて呼接続制御を行う第２のコールエージェントと、
共通線信号網及び第３のＩＰ網に接続されて呼接続制御を行うひとつ又は複数の第３のコールエージェントと、
前記第１のＩＰ電話機又は第１のＩＰ網についての第１の課金管理装置と、前記第２の電話機又は第２のＩＰ網についての第２の課金管理装置と、第３のＩＰ網についてのひとつ又は複数の第３の課金管理装置とのそれぞれと所定の情報を通信し、及び、前記第１乃至第３のコールエージェントのそれぞれと共通線信号網を介して通信し、着信課金サービスの呼接続制御を行う着信課金制御装置と
を備え、
前記着信課金制御装置は、さらに、
前記第１乃至第３のコールエージェントのそれぞれの信号局コードと、各信号局コードが示す前記第１又は第２又は第３のコールエージェントを所有する事業者の事業者識別情報とが、それぞれ対応して格納される信号局コード格納部と、
前記第１乃至第３のコールエージェントの各装置のうち、接続されるふたつの装置間の発呼側の事業者識別情報及び着呼側の事業者識別情報に対応して、所定時間毎の発呼側及び着呼側の料金を示す予め定められた発呼側料金レート及び着呼側料金レートが格納される料金レート格納部と、
前記第１のＩＰ電話機と前記第２のＩＰ電話機との呼接続に使用される前記第１乃至第３のコールエージェントの各装置について、前記第１及び第３のコールエージェントから送信される、接続元側の装置の発信号局コード及び接続先側の装置の着信号局コードのひとつ又は複数の組み合わせと、前記第２のコールエージェントから送信される前記第２のコールエージェントの信号局コードが用いられた接続元側の装置の発信号局コードとが、発呼側又は着呼側から順に格納される発着信号局コード格納部と、
前記第１のＩＰ電話機と前記第２のＩＰ電話機との通話時間を計測する呼接続時間計測部と
を有する着信課金システムであって、
（Ａ）前記第１のコールエージェントは、前記第１のＩＰ電話機からの発呼を検出して、前記第１のＩＰ電話機から着信課金サービスのための着信課金サービス番号を取得して、着信課金サービス番号に応じた着呼先電話番号に基づいて、前記第２及び第３のコールエージェントを介して前記第１のＩＰ電話機と前記第２のＩＰ電話機とを呼接続させるための制御を実行し、
（Ｂ）前記着信課金制御装置は、
呼接続のための制御の際、前記第１乃至第３のコールエージェントによる課金を停止させ、
（ａ）呼が切断された後、前記発着信号局コード格納部から、発信号局コード及び着信号局コードの組み合わせのひとつを発呼側又は着呼側から順に読み込み、
読み込まれた発信号局コードを基に前記信号局コード格納部の信号局コードを検索し、該当する信号局コードに対応する事業者識別情報を発呼側の第１の事業者識別情報として取得し、及び、読み込まれた着信号局コードを基に前記信号局コード格納部の信号局コードを検索し、該当する信号局コードに対応する事業者識別情報を着呼側の第１の事業者識別情報として取得し、
前記料金レート格納部を参照し、取得された発呼側の第１の事業者識別情報及び着呼側の第１の事業者識別情報に対応する、第１の発呼側料金レートと第１の着呼側料金レートとを取得し、
取得された第１の発呼側料金レートと、前記呼接続時間計測部で計測された通話時間とに基づいて第１の通話料金を算出し、
取得された着呼側の第１の事業者識別情報を第１の課金先情報として、取得された発呼側の第１の事業者識別情報に応じた第１又は第２又は第３の課金管理装置に、第１の課金先情報と算出された第１の通話料金とを含む第１の料金情報を送信し、
取得された第１の着呼側料金レートと、前記呼接続時間計測部で計測された通話時間とに基づいて第２の通話料金を算出し、
（ｂ）前記発着信号局コード格納部から、発信号局コード及び着信号局コードの次の組み合わせを読み込み、読み込まれた発信号局コードを基に前記信号局コード格納部の信号局コードを検索し、該当する信号局コードに対応する事業者識別情報を発呼側の第２の事業者識別情報として取得し、及び、読み込まれた着信号局コードを基に前記信号局コード格納部の信号局コードを検索し、該当する信号局コードに対応する事業者識別情報を着呼側の第２の事業者識別情報として取得し、
前記料金レート格納部を検索し、取得された発呼側の第２の事業者識別情報及び着呼側の第２の事業者識別情報に対応する、第２の発呼側料金レートと第２の着呼側料金レートとを取得し、
取得された第２の発呼側料金レートと前記呼接続時間計測部で計測された通話時間とに基づいて第３の通話料金を算出し、
取得された着呼側の第２の事業者識別情報を第２の課金先情報とし、取得された発呼側の第２の事業者識別情報に応じた前記第１又は第２又は第３の課金管理装置に、第２の課金先情報と算出された第１乃至第３の通話料金の合計とを含む第２の料金情報を送信し、
取得された第２の着呼側料金レートと前記呼接続時間計測部で計測された通話時間とに基づいて第４の通話料金を算出し、
（ｃ）前記発着信号局コード格納部から、前記第２のコールエージェントから受信され格納された発信号局コードを読み込み、読み込まれた発信号局コードを基に前記信号局コード格納部の信号局コードを参照し、該当する信号局コードに対応する事業者識別情報を発呼側の第３の事業者識別情報として取得し、
前記第１のＩＰ電話機からの着信課金サービス番号に応じた着呼先電話番号を第３の課金先情報とし、取得された発呼側の第３の事業者識別情報に応じた前記第１又は第２又は第３の課金管理装置に、第３の課金先情報と算出された第１乃至第４の通話料金の合計とを含む第３の料金情報を送信する
前記着信課金システムが提供される。
【００１７】
本発明の第２の解決手段によると、
第１のＩＰ網に接続される第１のＩＰ電話機と、第２のＩＰ網に接続される第２のＩＰ電話機とが、ひとつ又は複数の第３のＩＰ網を介して相互接続可能な、音声又は画像信号がＩＰ網で通信される電話網において、共通線信号網及び第１のＩＰ網に接続されて呼接続制御を行う第１のコールエージェントと、共通線信号網及び第２のＩＰ網に接続されて呼接続制御を行う第２のコールエージェントと、共通線信号網及び第３のＩＰ網に接続されて呼接続制御を行うひとつ又は複数の第３のコールエージェントと、前記第１のＩＰ電話機又は第１のＩＰ網についての第１の課金管理装置と、前記第２の電話機又は第２のＩＰ網についての第２の課金管理装置と、第３のＩＰ網についてのひとつ又は複数の第３の課金管理装置とのそれぞれと所定の情報を通信し、及び、前記第１乃至第３のコールエージェントのそれぞれと共通線信号網を介して通信し、着信課金サービスの呼接続制御を行う着信課金制御装置とを備えた着信課金システムにおける着信課金方法であって、
（Ａ）第１のコールエージェントは、第１のＩＰ電話機からの発呼を検出して、第１のＩＰ電話機から着信課金サービスのための着信課金サービス番号を取得して、着信課金サービス番号に応じた着呼先電話番号に基づいて、第２及び第３のコールエージェントを介して第１のＩＰ電話機と第２のＩＰ電話機とを呼接続させるための制御を実行するステップと、
（Ｂ）着信課金制御装置は、
呼接続のための制御の際、第１乃至第３のコールエージェントによる課金を停止させるステップと、
（ａ）呼が切断された後、第１のＩＰ電話機と第２のＩＰ電話機との呼接続に使用される第１乃至第３のコールエージェントの各装置について、第１及び第３のコールエージェントから送信される、接続元側の装置の発信号局コード及び接続先側の装置の着信号局コードのひとつ又は複数の組み合わせと、第２のコールエージェントから送信される第２のコールエージェントの信号局コードが用いられた接続元側の装置の発信号局コードとが、発呼側又は着呼側から順に格納される発着信号局コード格納部から、発信号局コード及び着信号局コードの組み合わせのひとつを発呼側又は着呼側から順に読み込むステップと、
読み込まれた発信号局コードを基に、第１乃至第３のコールエージェントのそれぞれの信号局コードと、各信号局コードが示す第１又は第２又は第３のコールエージェントを所有する事業者の事業者識別情報とが、それぞれ対応して格納される信号局コード格納部の信号局コードを検索し、該当する信号局コードに対応する事業者識別情報を発呼側の第１の事業者識別情報として取得し、及び、読み込まれた着信号局コードを基に信号局コード格納部の信号局コードを検索し、該当する信号局コードに対応する事業者識別情報を着呼側の第１の事業者識別情報として取得するステップと、
第１乃至第３のコールエージェントの各装置のうち、接続されるふたつの装置間の発呼側の事業者識別情報及び着呼側の事業者識別情報に対応して、所定時間毎の発呼側及び着呼側の料金を示す予め定められた発呼側料金レート及び着呼側料金レートが格納される料金レート格納部を参照し、取得された発呼側の第１の事業者識別情報及び着呼側の第１の事業者識別情報に対応する、第１の発呼側料金レートと第１の着呼側料金レートとを取得するステップと、
取得された第１の発呼側料金レートと、第１のＩＰ電話機と第２のＩＰ電話機との計測された通話時間とに基づいて第１の通話料金を算出するステップと、
取得された着呼側の第１の事業者識別情報を第１の課金先情報として、取得された発呼側の第１の事業者識別情報に応じた第１又は第２又は第３の課金管理装置に、第１の課金先情報と算出された第１の通話料金とを含む第１の料金情報を送信するステップと、
取得された第１の着呼側料金レートと、呼接続時間計測部で計測された通話時間とに基づいて第２の通話料金を算出するステップと、
（ｂ）発着信号局コード格納部から、発信号局コード及び着信号局コードの次の組み合わせを読み込み、読み込まれた発信号局コードを基に信号局コード格納部の信号局コードを検索し、該当する信号局コードに対応する事業者識別情報を発呼側の第２の事業者識別情報として取得し、及び、読み込まれた着信号局コードを基に信号局コード格納部の信号局コードを検索し、該当する信号局コードに対応する事業者識別情報を着呼側の第２の事業者識別情報として取得するステップと、
料金レート格納部を検索し、取得された発呼側の第２の事業者識別情報及び着呼側の第２の事業者識別情報に対応する、第２の発呼側料金レートと第２の着呼側料金レートとを取得するステップと、
取得された第２の発呼側料金レートと呼接続時間計測部で計測された通話時間とに基づいて第３の通話料金を算出するステップと、
取得された着呼側の第２の事業者識別情報を第２の課金先情報とし、取得された発呼側の第２の事業者識別情報に応じた第１又は第２又は第３の課金管理装置に、第２の課金先情報と算出された第１乃至第３の通話料金の合計とを含む第２の料金情報を送信するステップと、
取得された第２の着呼側料金レートと呼接続時間計測部で計測された通話時間とに基づいて第４の通話料金を算出するステップと、
（ｃ）発着信号局コード格納部から、第２のコールエージェントから受信され格納された発信号局コードを読み込み、読み込まれた発信号局コードを基に信号局コード格納部の信号局コードを参照し、該当する信号局コードに対応する事業者識別情報を発呼側の第３の事業者識別情報として取得するステップと、
第１のＩＰ電話機からの着信課金サービス番号に応じた着呼先電話番号を第３の課金先情報とし、取得された発呼側の第３の事業者識別情報に応じた第１又は第２又は第３の課金管理装置に、第３の課金先情報と算出された第１乃至第４の通話料金の合計とを含む第３の料金情報を送信するステップと
を含む前記着信課金方法が提供される。
【発明の効果】
【００１８】
本発明によると、着信課金サービスを実現するための着信課金制御システム及び着信課金制御方法を提供することができる。また、本発明によると、第１のＩＰ網が収容するＩＰ電話機が発呼し、第２のＩＰ網が中継を行い、第３のＩＰ網が収容するＩＰ電話機に着呼する場合に、着信課金サービス提供を実現することができる。また、本発明により着信課金サービスの支払い側となる企業や商店等にとっては、ＩＰ電話事業者と該サービス契約することで、支払い額の低減が見込まれる。
【発明を実施するための最良の形態】
【００１９】
（装置構成）
図１は、着信課金サービスを提供するＩＰ網Ａと、ＩＰ網Ａとは異なるＩＰ事業者が所有するＩＰ網Ｂとの相互接続網構成（着信課金システム）の一例を示す図である。着信課金システムは、コールエージェントＣＡ‐Ａ２及びＣＡ‐Ｂ８及びＣＡ‐Ｃ６と、ＧＷ‐Ａ４及びＧＷ‐Ｂ９、と、着信課金制御装置１２と、ＩＰ課金管理装置Ａ１３及びＩＰ課金管理装置Ｂ１５及びＩＰ課金管理装置Ｃ１４とを備える。
【００２０】
ＩＰ網Ａ（第１のＩＰ網）３は、ＩＰ電話Ａ１、ＣＡ‐Ａ（第１のコールエージェント）２、ＧＷ‐Ａ４を有する。ＣＡ‐Ａ２は、共通線信号網５と接続して他電話網と共通線信号を通信し、ＩＰ網Ａ内におけるＩＰ電話の呼接続制御を行う。ＧＷ−Ａ４は、中継ＩＰ網Ｃ７と接続し、ＩＰ網Ａ３とＩＰ網Ｃ７間の音声信号インタフェースとなる。
【００２１】
ＩＰ網Ｂ（第２のＩＰ網）１０は、ＩＰ電話Ｂ１１、ＣＡ‐Ｂ（第２のコールエージェント）８、ＧＷ‐Ｂ９を有する。ＣＡ‐Ｂ８は、共通線信号網５と接続して他電話網と共通線信号を通信し、ＩＰ網Ｂ１０内におけるＩＰ電話の呼接続制御を行う。ＧＷ−Ｂ９は、中継ＩＰ網Ｃ（第３のＩＰ網）７と接続し、ＩＰ網Ｂ１０とＩＰ網Ｃ７間の音声信号インタフェースとなる。
【００２２】
ＩＰ網Ｃ７のＣＡ‐Ｃ（第３のコールエージェント）６は、共通線信号網５と接続して他ＩＰ電話網のＣＡと共通線信号を通信し、他ＩＰ事業者内における呼接続を行う。本着信課金システムは、例えば音声信号がＩＰ網Ａ、Ｂ、Ｃを介して通信される。なお、音声信号に限らず、例えばテレビ電話などのように画像信号が通信されてもよい。
【００２３】
着信課金制御装置１２は、ＣＡ‐Ａ２、ＣＡ‐Ｂ８及び、ＣＡ‐Ｃ６と共通線信号網５を介して接続し、制御信号を送受信することにより、ＣＡ‐Ａ２、ＣＡ‐Ｂ８及び、ＣＡ‐Ｃ６の呼接続処理や課金処理を制御して、着信課金サービスを実現する。また、着信課金制御装置１２は、着信課金サービス提供時の課金情報を処理し、ＩＰ課金管理装置Ａ１３、ＩＰ課金管理装置Ｂ１５及びＩＰ課金管理装置Ｃ１４（第１〜第３の課金管理装置）と接続して、各事業者への課金情報の送信を行う。
【００２４】
図２は、着信課金サービスを実現するための機能を具備するＣＡ‐Ａ２−‐のブロック構成の一例を示す図である。なお、ＣＡ‐Ｂ８及びＣＡ‐Ｃ６についても同様の構成とすることができる。ＣＡ‐Ａ２は、ＩＰ網インタフェース２０と、呼接続プロトコル処理部２５と、音声ガイダンス送出部３５と、呼接続情報格納部４５と、共通線信号網インタフェース５０と、着信課金サービス番号判別部５５と、ＩＰアドレス格納部６０と、着信号局コード格納部６５と、発信号局コード格納部７０と、発呼元電話番号比較部７５と、着呼先電話番号格納部８０と、ＣＡ制御部８５を具備する。
【００２５】
ＩＰ網インタフェース２０は、例えばＩＰ網Ａ３と接続し、制御信号や音声信号などのＩＰパケットを送受信する。呼接続プロトコル処理部２５は、呼接続プロトコルとして例えばＲＦＣ３２６１で規定されるＳＩＰ（ＳＩＰ：Ｓｅｓｓｉｏｎ  Ｉｎｉｔｉａｔｉｏｎ  Ｐｒｏｔｏｃｏｌ）を実行する。尚、ＳＩＰ以外にもＨ．３２３などの呼接続プロトコルを用いても良い。音声ガイダンス送出部３５は、着信課金サービス番号による呼接続が成立不可能な場合に、発呼者に対して音声ガイダンスで接続不可を通知するためのブロックである。
【００２６】
呼接続情報格納部４５は、各加入者の着呼先電話番号、ＩＰアドレス及び接続先装置（交換機、ＣＡ等）の信号局コード、の対応表を格納する。共通線信号網インタフェース５０は、共通線信号網５と接続し、交換機やＣＡ、着信課金制御装置１２と共通線信号を送受信するためのインタフェースとなる。着信課金サービス番号判別部５５は、発呼時に受信した着呼先電話番号が着信課金サービス番号であるか否かを判別するための着信課金サービス番号を格納する。ＩＰアドレス格納部６０は、呼接続情報格納部４５から取得する呼接続先のＩＰアドレスを一時的に格納する。着信号局コード格納部６５は、前記呼接続情報格納部４５から取得する呼接続先装置の信号局コードを一時的に格納する。
【００２７】
発信号局コード格納部７０は、自装置の信号局コードを格納する。尚、自装置の信号局コードは運用開始前に予め設定することができる。発呼元電話番号比較部７５は、着信課金制御装置１２から送信された発呼元電話番号と呼接続元コールエージェントから送信される発呼元電話番号との比較を行うことで、着信課金サービスの対象呼であることを識別する。着呼先電話番号格納部８０は、着信課金制御装置１２より取得した着呼先電話番号を一時的に格納する。ＣＡ制御部８５は、上記各ブロックを制御するブロックである。ＣＡ‐Ｂ８及びＣＡ‐Ｃ７は、ＣＡ‐Ａ２と同様のブロック構成である。
【００２８】
図３は、着信課金サービスを実現する機能を具備する着信課金制御装置１２のブロック構成の一例を示す図である。着信課金制御装置１２は、共通線信号網インタフェース１００と、信号局コード格納部１０５と、課金管理装置インタフェース１１０と、着信課金サービス番号格納部１１５と、着呼先電話番号格納部１２０と、発呼元電話番号格納部１２５と、呼接続時間計測部１３０と、料金レート格納部１３５と、料金算出部１４０と、着呼側料金レート一時格納部１５０と、信号局コード一時格納部（発着信号局コード格納部）１５５と、着信課金制御部１６５とを具備する。
【００２９】
共通線信号網インタフェース１００は、共通線信号網５と接続し、交換機やＣＡと共通線信号を送受信するためのインタフェースとなる。信号局コード格納部１０５は、各装置の信号局コードと、その所有者となる電話事業者の事業者情報を格納する。課金管理装置インタフェース１１０は、各電話事業者が所有する課金管理装置と接続する。着信課金サービス番号格納部１１５は、着信課金サービス契約者の着信課金サービス番号と着信課金サービス契約者の着呼先電話番号の対応表を格納する。着呼先電話番号格納部１２０は、着信課金サービス番号格納部１１５から検索した着信課金サービス契約者の着呼先電話番号を一時的に格納する。発呼元電話番号格納部１２５は、発呼者の電話番号を一時的に格納する。
【００３０】
呼接続時間計測部１３０は、通話時間を計測する。料金レート格納部１３５は、着信課金サービス時に呼接続に使用した装置の発呼側となる電話網を所有する事業者情報と着呼側となる電話網を所有する事業者情報と各事業者間で決められた料金レートの対応表を格納する。料金算出部１４０は、通話終了後に通話料金を算出する。着呼側料金レート一時格納部１５０は、呼接続時に発生した網使用料金の算出に用いる着呼側料金レートの情報を一時的に格納する。信号局コード一時格納部１５５は、着信課金サービス提供時に呼接続に使用した交換機やＣＡ等の装置の信号局コードを一時的に格納する。着信課金制御部１６５は、上記各機能ブロックを制御するブロックである。
【００３１】
（データフォーマット）
図４は、ＩＰ課金管理装置Ａ１３にある課金情報データベースの一例を示す図である。このデータベースは、通話料金の課金先情報２０５に対応した課金情報２０６を含む。図４に示すデータベースにおいて、例えば、エントリ２０７−１は、通話料金の課金先であるＩＰ事業者Ａの電話加入者の電話番号２０５と、現在までの合計通話料金である課金情報２０６が登録される。エントリ２０７−Ｎは、例えば料金の課金先であるＩＰ事業者Ｃの課金先情報２０５（例えば、ＩＰ事業者Ｃの識別情報）とＩＰ事業者ＡがＩＰ事業者Ｃに接続した際、若しくは接続された際に発生する接続料金を課金した課金情報２０６が登録される。
【００３２】
図５は、ＩＰ課金管理装置Ｂ１５にある料金課金用のデータベースの一例を示す図である。このデータベースは、通話料金の課金先情報２１０に対応した課金情報２１１を含む。図５に示すデータベースにおいて、例えば、エントリ２１２−１は、通話料金の課金先であるＩＰ事業者Ｂの電話加入者の電話番号２１０と、現在までの合計通話料金である課金情報２１１が登録される。エントリ２１２−Ｎは、例えば料金の課金先であるＩＰ事業者Ｃの課金先情報２１０（例えば、ＩＰ事業者Ｃの識別情報）とＩＰ事業者ＢがＩＰ事業者Ｃに接続した際、若しくは接続された際に発生する接続料金を課金した課金情報２１１が登録される。
【００３３】
図６は、ＩＰ課金管理装置Ｃ１４にある課金情報データベースの一例を示す図である。このデータベースは、通話料金の課金先情報２００に対応した課金情報２０１を含む。図６に示すデータベースにおいて、例えば、エントリ２０２−１は、通話料金の課金先であるＩＰ事業者Ｃの電話番号２００と、現在までの合計通話料金を示す課金情報２０１が登録される。エントリ２０２−Ｍは、例えば料金の課金先であるＩＰ事業者Ａの課金先情報２００（例えば、ＩＰ事業者Ａの識別情報）と、ＩＰ事業者ＣがＩＰ事業者Ａの所有するＩＰ網に接続した際、若しくは接続された際に発生する接続料金を課金した課金情報２０１が登録される。エントリ２０２−Ｎは、例えば、料金の課金先であるＩＰ事業者Ｂの課金先情報２００（例えば、ＩＰ事業者Ｂの識別情報）とＩＰ事業者ＣがＩＰ事業者Ｂの所有するＩＰ網に接続した際、若しくは接続された際に発生する接続料金を課金した課金情報２０１が登録される。
【００３４】
図７は、ＩＰ網を使った着信課金サービスを実現するための着信課金制御装置１２の着信課金サービス番号格納部１１５のデータベース構成例を示す図である。このデータベースは、着信課金サービス契約者の着信課金サービス番号２１５に対応して、着信課金サービス契約者の着呼先電話番号２１６を含む。図７に示す着信課金サービス番号格納部１１５において、例えば、エントリ２１７−１は、着信課金サービスの契約者であるＩＰ電話Ｃ所有者の着信課金サービス番号２１５と着信課金サービス契約者の着呼先電話番号２１６が登録してある。また、例えば、エントリ２１７−Ｎは、着信課金サービス契約者であるＩＰ電話Ｂ所有者の着信課金サービス番号２１５と着信課金サービス契約者の着呼先電話番号２１６が登録してある。
【００３５】
図８は、ＣＡ‐Ａ２にある呼接続情報格納部４５のデータベース構成例を示す図である。このデータベースは、着呼先電話番号２２０に対応する呼接続先のＩＰアドレス２２１と呼接続先装置の信号局コード２２２を含む。図８に示すデータベースにおいて、例えば、エントリ２２３−１は、着呼先電話番号２２０がＩＰ事業者Ｃの電話番号であり、ＩＰ電話を収容するＣＡ‐Ｃ６と接続するＧＷ−Ａ４のＩＰアドレス２２１とＧＷ−Ａ４と接続するＣＡ‐Ｃ６の信号局コード２２２が対応付けてある。エントリ２２３−２は、着呼先電話番号２２０がＩＰ事業者Ａの電話番号であり、着呼先であるＩＰ電話端末のＩＰアドレス２２１が対応付けてある。この場合、発呼者と着呼者が契約している電話事業者が同じであり、呼接続を確立する為に仲介する他事業者の交換機やＣＡはこれ以上必要としないため、着信号局コード２２２には何も登録されない。エントリ２２３−Ｎは、着信先電話番号２２０がＩＰ事業者Ｂの電話番号であり、ＩＰ事業者Ｂが所有するＩＰ網Ｂと接続する際に経由するＣＡ‐Ｃ６と接続するＧＷ−Ａ４のＩＰアドレス２２１とＧＷ−Ａ４と接続するＣＡ‐Ｃ６の信号局コード２２２が対応付けてある。なお、ＣＡ−Ｃ６、ＣＡ−Ｂ８の呼接続情報格納部４５も同様に、着呼先電話番号２２０に対応する呼接続先のＩＰアドレス２２１と呼接続先装置の信号局コード２２２が記憶される。
【００３６】
図９は、着信課金制御装置１２内の信号局コード格納部１０５のデータベース構成例を示す図である。このデータベースは、共通線信号網５に接続する各装置の信号局コード２２５と各装置を所有する事業者識別情報（以下、単に事業者情報と記す）２２６を含む。図９に示すデータベースにおいて、例えば、エントリ２２７‐１は、ＣＡ‐Ａ２の信号局コード２２５とＣＡ‐Ａ２を所有するＩＰ事業者Ａの事業者情報２２６を登録している。エントリ２２７‐２は、例えばＣＡ‐Ｃ６の信号局コード２２５とＣＡ‐Ｃ６を所有するＩＰ事業者Ｃの事業者情報２２６を登録している。エントリ２２７−Ｎは、例えばＣＡ‐Ｂ８の信号局コード２２５とＣＡ‐Ｂ８を所有するＩＰ事業者Ｂの事業者情報２２６を登録している。
【００３７】
図１０は、着信課金制御装置１２内の料金レート格納部１３５のデータベース構成例を示す図である。このデータベースは、発呼側電話網の事業者情報２３０と、着呼側電話網の事業者情報２３１に対応して、発呼側電話網を所有する電話事業者と着呼側電話網を所有する電話事業者間で予め決められた網接続点における発呼側料金レート２３３と、着呼側料金レート２３４の料金レート情報と、複数ある料金レートの組合せを選択する課金形態２３２を含む。これは、一般的に網間接続において発呼側になる場合と着呼側になる場合では、料金レートが異なる場合があり、着信課金サービスのような特殊呼接続の場合には、課金方法を事業者間でとりきめる必要があると考えられ、課金形態のバリエーションの多様化に対応するものである。
【００３８】
図１０に示すデータベースにおいて、例えば、エントリ２３５−１、２３５−２、２３５−３は、発呼側電話網２３０に接続元装置を所有するＩＰ事業者Ａの事業者情報と、着呼側電話網２３１に接続先装置を所有するＩＰ事業者Ｃの事業者情報に対応して、発呼側事業者の通話料金を発呼側料金レート２３３に、着呼側事業者の通話料金を着呼側料金レート２３４に各々を登録してあり、複数ある料金レートの組合せの中から予め各事業者間で決めた課金形態を課金形態２３２で選択している。図１０の例において着信課金サービスを行った場合、エントリ２３５−１の料金レートが使われることになる。
【００３９】
エントリ２３５−Ｍ、２３５−（Ｍ＋１）、２３５−（Ｍ＋２）は、例えば発呼側電話網２３０に呼接続元装置を所有するＩＰ事業者Ｃの事業者情報と着呼側電話網２３１に接続先装置を所有するＩＰ事業者Ｂの事業者情報に対応して、発呼側事業者の通話料金を発呼側料金レート２３３に、着呼側事業者の通話料金を着呼側料金レート２３４に各々を登録してあり、複数ある料金レートの組合せの中から予め各事業者間で決めた課金形態を課金形態２３２で選択している。図１０の例において着信課金サービスを行った場合、エントリ２３５−（Ｍ＋１）の料金レートが使われることになる。
尚、図１０では、３分を基準とした料金を示しているが、これに限らず適宜の料金レートを登録することができる。また、ＩＰ事業者（及びＰＳＴＮ事業者）が複数存在する場合、各事業者の組み合わせに応じた料金レートを登録することができる。
【００４０】
図１１は、着信課金制御装置１２内の信号局コード一時格納部１５５にあるデータベースの構成例を示す図である。このデータベースは、１つの呼が発生した場合に呼接続するために使用する装置（交換機、ＣＡ等）について、接続元装置の信号局コードを格納する発信号局コード２３８と、接続先装置の信号局コードを格納する着信号局コード２３６を含む。
【００４１】
図１１に示すデータベースにおいて、例えば、エントリ２３７−１は、最初に発呼を検出した装置であるＣＡ‐Ａ２の信号局コードが発信号局コード２３８に格納され、着信号局コード２３６には、ＣＡ−Ａ２の呼接続情報格納部４５から得られるＣＡ‐Ｃ６の信号局コードが格納される。エントリ２３７‐２の発信号局コード２３８には、エントリ２３７‐１の着信号局コード２３６と同じＣＡ‐Ｃ６の信号局コードが登録され、着信号局コード２３６には、接続先装置であるＣＡ‐Ｂ８の信号局コードが登録される。エントリ２３７‐Ｎの発信号局コード２３８には、ＣＡ−Ｂ８の信号局コードが格納され、着信号局コード２３６は情報未格納である。これは、ＣＡ−Ｂ８が呼接続を確立する為に他事業者の交換機またはＣＡと接続する必要がなく、呼接続先が着呼先電話端末であるからである。
【００４２】
図１２は、着信課金制御装置１２内の料金算出部１４０のデータベース構成例を示す図である。本例では、ＩＰ網Ａ、ＩＰ網Ｂ、ＩＰ網Ｃの３つの電話網に渡って呼接続することを前提としている。図１２に示すデータベースは、呼接続要求側網（例えばＩＰ網Ａ）と呼接続受入側網（例えばＩＰ網Ｃ）との間で、呼接続受入側網が呼接続要求側網に対して請求することになる網使用料金（例えば、ｊｊｊ円）を含む。また、先の呼接続受入側網（例えばＩＰ網Ｃ）が更に別の事業者のＩＰ電話網と呼接続する必要性があり、呼接続要求側網（例えばＩＰ網Ｃ）と呼接続受入側網（例えばＩＰ網Ｂ）の関係となった場合に、呼接続受入側網が呼接続要求側網に対して請求することになる網使用料金を含む。これらを通話時間から算出し、各々合算し、着呼者に請求する料金額と、その料金額の振り分け先事業者を示すものとなる。
【００４３】
該データベースは、課金先事業者の識別情報または課金先電話番号を格納する課金先２４０と、料金情報を送信する事業者の識別情報を格納する料金支払先事業者２４１と、呼接続時間計測部１３０で計測した通話時間を格納する通話時間２４２と、料金レート格納部１３５から取得した料金レートを格納する料金レート２４３と、通話時間と料金レートから算出する通話料金を格納する通話料金２４４を含む。
【００４４】
図１２に示すデータベースにおいて、例えば、エントリ２４５−１−ａは、課金先２４０に通話料金の課金先に設定するＩＰ事業者Ｃの事業者情報と、料金支払先事業者２４１に作成した料金情報の料金支払先事業者であるＩＰ事業者Ａの事業者情報と、通話時間２４２に呼接続時間計測部１３０で計測した通話時間と、料金レート２４３に料金レート格納部１３５で取得した料金レートと、通話料金２４４に通話時間と料金レートから算出した通話料金が各々一時的に格納されている。
【００４５】
エントリ２４５−２−ａで、例えば、課金先２４０に通話料金の課金先に設定するＩＰ事業者Ｂの事業者情報と、料金支払先事業者２４１に作成した料金情報の料金支払先事業者であるＩＰ事業者Ｃの事業者情報と、エントリ２４５−１−ａで算出した通話料金２４４がエントリ２４５−２−ａに格納される。尚、図１２では、エントリ２４５−２−ａの通話時間２４２と、料金レート２４３を未登録としているが、これはＩＰ事業者ＣがＩＰ事業者Ａに支払わなければならない通話料金２４５−１−ａを、ＩＰ事業者Ｂから徴収することを考慮した情報であり、エントリ２４５−１−ａに登録されている通話時間２４２と料金レート２４３を登録しても良い。
【００４６】
エントリ２４５−２−ｂには、例えば、課金先２４０に通話料金の課金先に設定するＩＰ事業者Ｂの事業者情報と、料金支払先事業者２４１に作成した料金情報の料金支払先事業者であるＩＰ事業者Ｃの事業者情報と、通話時間２４２に呼接続時間計測部１３０で計測した通話時間と、料金レート２４３に料金レート格納部１３５から取得した料金レート（着呼側）と、通話料金２４４に通話時間と料金レートから算出した通話料金を各々格納している。
【００４７】
エントリ２４５−２−ｃは、例えば、課金先２４０に通話料金の課金先に設定するＩＰ事業者Ｂの事業者情報と、料金支払先事業者２４１に作成した料金情報の料金支払先事業者であるＩＰ事業者Ｃの事業者情報と、通話時間２４２に呼接続時間計測部１３０で計測した通話時間と、料金レート２４３に料金レート格納部１３５から取得した料金レート（発呼側）と、通話料金２４４に通話時間と料金レートから算出した通話料金を各々格納している。
【００４８】
エントリ２４５‐３（図示せず）には、例えば、ＩＰ網Ｃ７からＩＰ網Ｂ１０に接続する際に、更に中継ＩＰ網があった場合に、前エントリ２４５‐１及び２４５‐２で算出した通話料金と、更にＩＰ事業者ＣとＩＰ事業者Ｂを中継するＩＰ事業者の間で発生する通話料金が格納される。尚、この通話料金の格納は、着呼元電話番号を収容するＩＰ網が見つかるまで繰り返されることになる。
【００４９】
エントリ２４５−Ｎ−ａ、２４５−Ｎ−ｂには、例えば、課金先２４０に通話料金の課金先に設定する着呼先電話番号と、料金支払先事業者２４１に作成した料金情報の料金支払先事業者であるＩＰ事業者Ｂの事業者情報と、エントリ２４５−１−ａ、２４５−２−ｂ・・・で算出した通話料金２４４が各々エントリ２４５−Ｎ−ａ、２４５−Ｎ−ｂ・・・に格納される。尚、図１２では、エントリ２４５−Ｎの通話時間２４２と、料金レート２４３を未登録としているが、これはＩＰ事業者ＢがＩＰ事業者Ｃに支払わなければならない通話料金２４５−Ｎ−ａ〜２４５−Ｎ−ｂを、着呼者から徴収することを考慮した情報であり、エントリ２４５−２に登録されている通話時間２４２と料金レート２４３を登録しても良い。
【００５０】
エントリ２４５−Ｎ−ｍには、例えば、課金先２４０に通話料金の課金先に設定する着呼先電話番号と、料金支払先事業者２４１に作成した料金情報の料金支払先事業者であるＩＰ事業者Ｂの事業者情報と、通話時間２４２に呼接続時間計測部１３０で計測した通話時間と、料金レート２４３に料金レート格納部１３５から取得した料金レート（着呼側）と、通話料金２４４に通話時間と料金レートから算出した通話料金を各々格納している。
【００５１】
（動作シーケンス及びフローチャート）
ＩＰ電話加入者Ａから、着信課金サービス契約者である他ＩＰ電話事業者のＩＰ電話加入者Ｂに対する発呼について、着信課金サービスを提供する場合の動作について説明する。
図１３は、ＩＰ電話発呼・他事業者ＩＰ電話着呼における着信課金サービス提供時の各装置の着信課金接続処理動作シーケンスの一例である。図１４は、ＩＰ電話発呼・他事業者ＩＰ電話着呼における着信課金サービスの通話終了時の動作シーケンスの一例である。
【００５２】
図１５、図１６、図１７及び図１８は、ＩＰ電話発呼・他事業者ＩＰ電話着呼における着信課金サービス提供時の発呼検出元装置及び接続元装置の動作を示したフローチャートの一例である。尚、発呼検出元装置とは、電話端末の発呼を検出して電話端末から接続先端末の電話番号情報等の情報を受信する呼接続制御装置であり、接続元装置とは、着信課金サービス要求を認識して、着信課金制御装置１２に対して着信課金サービスの提供要求と共に呼接続に必要となる電話番号情報等を送信する各ＩＰ事業者のＣＡや交換機等の呼接続制御装置である。
【００５３】
図１９、図２０、図２１、図２２、図２３及び図２４は、ＩＰ電話発呼・他事業者ＩＰ電話着呼における着信課金サービス提供時の着信課金制御装置１２の動作を示したフローチャートの一例である。図２５は、ＩＰ電話発呼・他事業者ＩＰ電話着呼における着信課金サービス提供時の接続先装置の動作を示したフローチャートの一例である。尚、接続先装置とは、着信課金サービスを提供する中で、着信課金制御装置１２が接続元装置から次に呼を接続する装置として制御を行う各ＩＰ事業者のＣＡや交換機等の呼接続制御装置である。接続先装置は、着信課金制御装置１２からの制御により該呼接続が着信課金サービスの対象であることを認識した後、自装置配下に着呼電話端末が存在しない場合は、他の呼接続制御装置へ呼接続する必要が生じる為、接続元装置として振舞うことにもなる。
【００５４】
以下、図１３〜図２５を用いて着信課金サービス提供時の各装置の動作を説明する。
まず、ＩＰ電話Ａ１がＩＰ電話Ｂ１１の着信課金サービス番号（例えば、０１２０で始まる着信課金用の番号）を発呼する（図１３：処理３００）。ＩＰ電話Ａ１の発呼は、ＣＡ−Ａ２のＩＰ網インタフェース２０を介して呼接続プロトコル処理部２５にて受信し、着信課金サービス番号と発呼元電話番号等の呼接続に必要な情報をＣＡ制御部８５にて検出する。（図１５：処理４００）。ＣＡ制御部８５は、取得した着呼先電話番号を着信課金サービス電話番号判別部５５に送り、着信課金サービス電話番号判別部５５は着呼先電話番号の上位数桁を使って着信課金サービス番号であるか否かを判定する（処理４０１）。
【００５５】
ＣＡ制御部８５は、取得した着呼先電話番号が着信課金サービス番号でない場合（処理４０１）、通常呼接続と判定し通常呼接続処理を実行する（処理４０２）。一方、ＣＡ制御部８５は、着信課金サービス番号であると判定した場合（処理４０１）、共通線信号網５を介して着信課金制御装置１２に着信課金サービス番号と発呼元電話番号を送信し、着信課金サービス契約者の着呼先電話番号を問い合せる（処理３０１及び処理４０３）。
【００５６】
着信課金制御装置１２では、着信課金制御部１６５が共通線信号網インタフェース１００を介してＣＡ−Ａ２（発呼検出元装置）からの着信課金サービス番号２１５と発呼元電話番号を受信し、受信した発呼元電話番号を発呼元電話番号格納部１２５に格納する（図１９：処理５００）。次に、着信課金制御部１６５は、ＣＡ‐Ａ２より送信された着信課金サービス番号に基づき、着信課金サービス番号格納部１１５に登録してある着信課金サービス番号２１５を検索する（処理５０１）。
【００５７】
着信課金制御部１６５は、該当する着信課金サービス番号の登録がない場合（処理５０２）、ＣＡ‐Ａ２に対して該当番号未登録の情報を送信して（処理５０３）、処理を終了する。一方、着信課金制御部１６５は、該当の着信課金サービス番号の登録が有る場合（処理５０２）、該着信課金サービス番号２１５に対応する着呼先電話番号２１６を取得し、着呼先電話番号格納部１２０に着呼先電話番号を格納する（処理５０４）。続いて着信課金制御部１６５は、取得した着呼先電話番号２１６を共通線信号網５を介してＣＡ‐Ａ２に送信する（処理３０３及び処理５０６）。
【００５８】
ＣＡ‐Ａ２は、着信課金制御装置１２から該情報を受信し、未登録の情報を受信した場合、又は、着呼先電話番号の問い合せをしてから所定時間内に着呼先電話番号を取得できなかった場合（処理４０５）、例えば音声ガイダンス送出部３５より発呼元のＩＰ電話Ａ１に音声ガイダンスを流して、呼接続不可を通知する（処理４０６）。一方、ＣＡ−Ａ２は、着呼先電話番号が取得できた場合（処理４０５）、受信した着呼先電話番号を着呼先電話番号格納部８０に格納する（処理４０７）。
【００５９】
（繰り返し１）
ＣＡ−Ａ２及び着信課金制御装置１２は、繰り返し１の処理（第１の処理）を実行する（処理３４０）。繰り返し１の処理は、例えば以下の処理３０４〜３０７、及び、これらの処理に対応するＣＡ−Ａ２、着信課金制御装置１２の各処理を含む。以下、繰り返し１の処理について説明する。
【００６０】
着信課金制御装置１２は、ＣＡ‐Ａ２（ここでは、接続元装置でもある）に着信課金制御装置１２から接続許可があるまで呼接続処理を実施しないよう呼接続待機指示を発行する（処理３０４及び図２０：処理５０７）。ＣＡ‐Ａ２は、着信課金制御装置１２から接続許可信号を受信するまで待機する（処理４０８）。次に着信課金制御装置１２は、ＣＡ‐Ａ２に対し発呼電話機についての課金停止指示と着信課金サービスによる接続という情報を送信する（処理３０５及び処理５０８）。ＣＡ‐Ａ２は、着信課金制御装置１２からの課金停止指示を受信して、発呼電話機への課金を停止する（図１６：処理４０９）。
【００６１】
続いて着信課金制御装置１２は、ＣＡ−Ａ２に対して着信先電話番号２１６がＣＡ‐Ａ２内（又は、ＣＡ‐Ａ２を所有する電話事業者の電話網）に登録されている電話番号か否かをＣＡ‐Ａ２に問い合せる（処理３０６及び処理５０９）。ＣＡ‐Ａ２は、該問い合わせに対して着呼先電話番号格納部８０に格納してある着呼先電話番号について、呼接続情報格納部４５の着呼先電話番号２２０を検索し、着呼先電話番号に対応するＩＰアドレス２２１及び信号局コード２２２を取得し、取得したＩＰアドレス２２１を一時的にＩＰアドレス格納部６０に格納し、更に接続先装置の信号局コード２２２を着信号局コード格納部６５に一時格納する（処理４１０）。
【００６２】
ＣＡ‐Ａ２は、ＩＰアドレス２２１及び信号局コード２２２が取得できたか判断し、該当する着呼先電話番号２２０やＩＰアドレス２２１と接続先装置の信号局コード２２２の登録がない場合は（処理４１１）、着信課金制御装置１２に対して、該当電話番号未登録の情報を送信する。また、ＣＡ−Ａ２は、ＩＰ電話Ａ１に対して音声ガイダンスで接続不可を通知する（処理４１２）。着呼先電話番号２２０に対するＩＰアドレス２２１と信号局コード２２２の登録が有る場合（処理４１１及び処理４１４）、ＣＡ‐Ａ２は、着呼先電話番号が自装置内（又は、ＣＡ‐Ａ２を所有する電話事業者の電話網）に収容されていない電話番号であるという応答を着信課金制御装置１２に送信する（処理３０７及び処理４１５）。
【００６３】
また、着呼先電話番号２２０に対するＩＰアドレス２２１の登録があり（処理４１１）、信号局コード２２２の登録が無いならば（処理４１４）、ＣＡ‐Ａ２は、処理４１６へ移る。処理４１６では、ＣＡ−Ａ２は、着呼先電話番号が自装置内（又は、ＣＡ‐Ａ２を所有する電話事業者の電話網）に収容される電話番号であるという応答を着信課金制御装置１２に送信する（処理３０７及び図１８：処理４１６）。
【００６４】
（繰り返し２）
次に、ＣＡ−Ａ２及び着信課金制御装置１２は、ＣＡ−Ａ６（ここでは接続先装置）との接続について、繰り返し２の処理（第２の処理）を実行する（処理３４１）。繰り返し２の処理は、例えば、以下の処理３０８〜３１５、及び、これらの処理に対応するＣＡ−Ａ２、ＣＡ−Ａ６、着信課金制御装置１２の各処理を含む。以下、繰り返し２の処理について説明する。
【００６５】
（着呼先電話番号が接続元網内に収容されていない場合の処理）
着信課金制御装置１２は、ＣＡ‐Ａ２より着呼先電話番号２２０が自電話網内に登録されていない（又は収容されていない）という回答を受信した場合（処理５１０）、ＣＡ‐Ａ２に対して発信号局コード（ここでは、接続元装置でもあるＣＡ‐Ａ２の信号局コード）及び着信号局コード（ここでは、接続先装置でもあるＣＡ‐Ｃ６の信号局コード）を問い合せる（処理３０８及び処理５１１）。
【００６６】
ＣＡ‐Ａ２は、着信課金制御装置１２より接続元装置及び接続先装置の信号局コードの問い合わせに対して、発信号局コード格納部７０に設定される自装置の信号局コードと、着信号局コード格納部６５に一時的に格納している接続先装置の信号局コードとをそれぞれ読み出し、着信課金制御装置１２に送信する（処理３０９及び処理４１７）。着信課金制御装置１２は、ＣＡ‐Ａ２から発信号局コード及び着信号局コードを取得した場合、取得した発信号局コードを信号局コード一時格納部１５５のエントリ２３７‐１の発信号局コード２３８に格納し、更に取得した着信号局コードを信号局コード格納部１１５のエントリ２３７‐１の着信号局コード２３６に、それぞれ対応させて一時的に格納する（処理５１２）。
【００６７】
着信課金制御装置１２は、取得した着信号局コードを基に共通線信号網５を介して接続先装置であるＣＡ‐Ｃ６と通信し、ＣＡ‐Ｃ６に対して接続要求とともに、発呼元電話番号を送信する（処理３１０及び処理５１３）。ＣＡ‐Ｃ６は、着信課金制御装置１２より発呼元電話番号を受信し、ＣＡ‐Ｃ６内の発呼元電話番号比較部７５に、受信した発呼元電話番号を一時的に格納する（図２５：６００）。着信課金制御装置１２は、接続先装置であるＣＡ‐Ｃ６に対して送信した発呼元電話番号の呼と接続完了した場合には、着信課金制御装置１２に接続完了通知を送信するように指示する（処理３１１及び図２１：処理５１４）。
【００６８】
着信課金制御装置１２は、ＣＡ‐Ａ２にＣＡ‐Ｃ６との接続許可を送信する（処理３１２及び処理５１５）。ＣＡ‐Ａ２は接続許可を受信して、着信号局コード格納部６５に格納している信号局コード２２２を基に、共通線信号網５を介してＣＡ‐Ｃ６に発呼元電話番号と着呼先電話番号を送信する（処理３１３及び処理４１８）。ＣＡ‐Ｃ６は、受信した発呼元電話番号と発呼元電話番号比較部にある電話番号が同じ電話番号か否かを判別する（６０２）。ＣＡ‐Ｃ６は、比較した発呼元電話番号が異なる場合（６０３）、通常呼接続と判断し、通常呼接続の処理を行う（６０４）。一方、ＣＡ−Ａ６は、比較した電話番号が同じだった場合（６０３）、発呼元電話番号の呼と接続するまで待機する。ＣＡ−Ａ６は、発呼元電話番号の呼と接続した場合に着信課金サービスを提供する。ＣＡ‐Ａ２は、ＩＰアドレス格納部６０に格納しているＩＰアドレス２２１を基にＧＷ−Ａ４を介してＣＡ‐Ｃ６と接続する（処理３１４及び図１７：処理４１９）。ＣＡ‐Ｃ６は、発呼元電話番号の呼と接続した場合に、着信課金制御装置１２に接続完了通知を送信する（処理３１５及び６０５）。
【００６９】
次に、着信課金制御装置１２は、接続先装置であるＣＡ‐Ｃ６から呼接続完了通知を受信することを契機に（処理３１５）、ＣＡ−Ａ２と着信課金制御装置１２間に対して実施した処理３０４〜処理３０７（繰り返し１の処理３４０）をＣＡ‐Ｃ６と着信課金制御装置１２間で行う（図１３：処理３３４）。この場合、上述の繰り返し１の処理の説明におけるＣＡ−Ａ２がＣＡ−Ａ６に対応する。更に、ＣＡ−Ａ２とＣＡ‐Ｃ６、着信課金制御装置１２間で実施した処理３０８〜処理３１５（繰り返し２の処理３４１）を、ＣＡ‐Ｃ６、ＣＡ‐Ｂ８、着信課金制御装置１２間で行う（処理３３５）。この場合、上述の繰り返し２の処理の説明におけるＣＡ−Ａ２がＣＡ−Ａ６に対応し、ＣＡ−Ａ６がＣＡ−Ｂ８に対応する。さらに、ＣＡ−Ｂ８と着信課金制御装置１２との間で、上述の繰り返し１の処理３４０を行う。
【００７０】
尚、例えば、ＩＰ網Ｃ７とＩＰ網Ｂ１０の間に、更に異なる中継ＩＰ網がある場合も前記処理と同様に３０４〜３０７（繰り返し１）の処理（処理３４０）と、３０８〜３１５（繰り返し２）の処理（処理３４１）を繰り返し、着呼先電話番号を収容する電話網を見つけることで、着信課金サービスを提供することができる。なお、更に異なる中継ＩＰ網がある場合には、着信課金システムは、中継ＩＰ網に応じたＣＡと、ＩＰ課金管理装置を備える。
【００７１】
（着呼先電話番号が接続元網内に登録される場合の処理）
上述のように、着呼先電話番号を収容している呼接続制御装置を見つけるまで繰り返し処理３４０、３４１を行い続け、ＣＡ‐Ｃ６を経由してＣＡ‐Ｂ８まで接続した場合を例にして説明する。
着信課金制御装置１２は、例えば、ＣＡ‐Ｂ８（又は着呼先のＩＰ電話を収容する適宜の呼接続装置）から着信先電話番号が自装置内（又は、ＣＡ‐Ｂ８を所有する電話事業者の電話網）で収容する電話番号であるという回答を受信した場合（処理５１０、処理３０７に相当）、着信課金制御装置１２は、ＣＡ‐Ｂ８（着信端末を収容する装置）にＩＰ電話Ｂ１１との接続指示を出す（図１３：処理３１７及び図２２：処理５１７）。ＣＡ‐Ｂ８は、接続指示を受信した場合に、ＩＰアドレス格納部６０に格納しているＩＰアドレスを基にＩＰ電話Ｂ１１と呼接続し、ＩＰ電話Ｂ１１が通話可能か否かを問い合わせる（処理３１８及び処理４３５）。ＩＰ電話Ｂ１１は着信可能か否かを判断し、接続元装置であるＣＡ‐Ｂ８に通話可否の情報を返答する（処理３１９）。該情報を受けたＣＡ‐Ｂ８は、受信した情報が通話不可能を示す情報である場合（処理４２１）、話中音をＩＰ電話Ａ１に送出する（処理３２１及び処理４２２）。一方、ＣＡ−Ｂ８は、受信した情報が通話可能を示す情報の場合（処理４２１）、ＩＰ電話Ａ１に呼び出し音を送出する（処理３２１及び処理４２３）。
【００７２】
ＩＰ電話Ｂ１１の受話器が取られると（処理３２２）、ＣＡ‐Ｂ８は、ＩＰ電話Ｂ１１の応答を検出し、各接続装置を経由してＣＡ‐Ａ２にＩＰ電話Ｂ１１が応答したという情報を送信する（処理３２３及び処理４３７）。一方、ＣＡ‐Ａ２は、ＩＰ電話Ｂ１１が応答したという情報を受信した場合に、着信課金制御装置１２に呼接続完了通知を送信する（処理３２４及び処理４２４）。着信課金制御装置１２は、ＣＡ−Ａ２からの呼接続完了通知を受信して、呼接続時間計測部１３０でＩＰ電話Ａ１とＩＰ電話Ｂ１１の通話時間の計測を開始する（処理５１８）。ＣＡ−Ａ２は、呼が切断されるのを監視しており、呼切断時に着信課金制御装置１２に通知することになる（処理４２５）。更に、ＣＡ‐Ａ２は、発呼端末であるＩＰ電話Ａ１と接続して通話状態にする（処理３２６及び処理４２６）。
【００７３】
次に、ＩＰ電話Ｂ１１が回線を切断した場合について説明する。ＩＰ電話Ｂ１１の受話器が置かれ、呼切断した場合に、ＣＡ‐Ｂ８が呼切断を検出し（図１４：処理３２７）、各接続装置を経由して、切断したという情報（呼切断情報）をＣＡ−Ａ２に送信する（処理３２８及び処理４３８）。ＣＡ−Ａ２は、呼切断情報を受信して、該情報を着信課金制御装置１２に送信する（処理３２９及び処理４２７）。着信課金制御装置１２は、呼切断情報を受信して呼接続時間計測部１３０での通話時間の計測を終了する（処理５２０）。また、ＣＡ−Ａ２は、該情報を受信してＩＰ電話Ａ１に回線が切断されたという情報を送信する（処理３３０及び処理４２８）。
【００７４】
通話終了後、着信課金制御装置１２は、通話料金（課金情報）の作成を行う。例えば、ＩＰ事業者ＡとＩＰ事業者Ｃとの接続時について説明すると、着信課金制御装置１２は、信号局コード一時格納部１５５に着信号局コードが登録されているか確認する（図２２：処理５２１）。着信号局コードが登録されていた場合（：処理５２１）、着信課金制御装置１２は、信号局コード一時格納部１５５にある発信号局コード２３８及び着信号局コード２３６を基に、信号局コード格納部１０５の中から信号局コードに応じた接続装置を所有する電話事業者の識別情報をそれぞれ取得する（処理５２２）。
【００７５】
例えば、着信課金制御装置１２は、信号局コード一時格納部１５５のエントリ２３７−１にある発信号局コード２３８及び着信号局コード２３６を読み込み、信号局コード格納部１０５を参照して、読み込んだ発信号局コード２３８に対応する事業者情報（例えば、、ＩＰ事業者Ａ）と、読み込んだ着信号局コード２３６に対応する事業者情報（例えば、ＩＰ事業者Ｃ）を取得する。
【００７６】
更に、着信課金制御装置１２は、取得した発呼側の事業者情報（例えば、ＩＰ事業者Ａ）と着呼側の電話事業者の事業者情報（例えば、ＩＰ事業者Ｃ）を基に料金レート格納部１３５を検索し、発呼側電話網２３０と着呼側電話網２３１に対応し、且つ、課金形態２３２で選択されている発呼側料金レート２３３（例えば、ａ／３分）及び着呼側料金レート２３４（例えば、ｚ／３分）を取得する。また、着信課金制御装置１２は、発呼側料金レート２３３を料金算出部１４０の料金レート２４３に格納し、着呼側料金レート２３４を着呼側料金レート一時格納部１５０に格納する（処理５２３）。着信課金制御装置１２は、呼接続時間計測部１３０で計測した通話時間（例えば、ｐ分）を、料金算出部１４０の通話時間２４２に格納する（処理５２４）。着信課金制御装置１２は、取得した料金レート２４３と通話時間２４２を基に通話料金を算出し、算出した通話料金の値（例えば、ｊｊｊ円）を料金算出部１４０の通話料金２４４に格納する（処理５２５）。
【００７７】
一例として、着信課金制御装置１２は、料金レートがａ／３分であり、通話時間が４分である場合には、最初の３分の料金としてａ円、次の３分までの料金としてさらにａ円かかるとして、通話料金を２ａ円とすることができるが、これに限られない。以下の通話料金の算出についても同様である。
【００７８】
続いて着信課金制御装置１２は、着呼側電話網の事業者情報（ここでは、ＩＰ事業者Ｃ）を料金算出部１４０の課金先２４０に格納する（図２３：処理５２６）。また、着信課金制御装置１２は、発呼側電話網の事業者情報（ここでは、ＩＰ事業者Ａ）を料金算出部１４０の料金支払先事業者２４１に格納する（処理５２７）。
【００７９】
着信課金制御装置１２は、料金算出部１４０内の料金支払先事業者２４１に格納されている事業者が所有する課金管理装置（ここでは、ＩＰ課金管理装置Ａ１３）に、課金先を料金算出部１４０内の課金先２４０に格納されている事業者（ここでは、ＩＰ事業者Ｃ）に設定され、及び、料金算出部１４０内の通話料金２４４を含む料金情報を送信する（処理３３１及び処理５２９）。
【００８０】
ＩＰ課金管理装置Ａ１３は、料金情報を受信して、課金先に設定された事業者情報に基づき、自装置にあるデータベースの課金先情報２０５を検索し、該当する課金先情報２０５に対応した課金情報２０６に着信課金制御装置１２から送信されてきた通話料金を加算する。例えば、図４に示すデータベースの例では、エントリ２０７‐Ｎの課金情報２０６に通話料金が加算される。尚、課金情報２０６には、前回の通話分までが課金されており、新たに受信した通話料金を加算することで料金の管理を行う。
【００８１】
続いて着信課金制御装置１２は、算出した各通話料金２４４（例えば、ｊｊｊ円）を、料金算出部１４０内の次エントリ（例えば、通話料金を算出したエントリが２４５−１の場合、２４５−２−ａとなる。）の通話料金２４４に格納する（処理５３０）。着信課金制御装置１２は、着呼側料金レート一時格納部１５０に一時的に格納した着呼側料金レート２３４（例えば、ｚ／３分）を、料金算出部１４０のさらに次のエントリ（例えば、２４５−２−ａに算出した通話料金を格納した場合、２４５−２−ｂとなる。）の料金レート２４３に格納する（処理５３１）。続いて着信課金制御装置１２は、呼接続時間計測部１３０で計測した通話時間（例えば、ｐ分）を料金算出部１４０の通話時間２４２に格納する（処理５３７）。着信課金制御装置１２は、取得した料金レート２４３と通話時間２４２を基に通話料金を算出し、算出した通話料金の値（例えば、ｋｋｋ円）を料金算出部１４０の通話料金２４４に格納する（処理５３８）。
【００８２】
続いて、例えば、ＩＰ事業者Ｃが所有するＣＡ‐Ｃ６からＩＰ事業者Ｂが所有するＣＡ‐Ｂ８と接続した場合の課金について説明する。着信課金制御装置１２は、信号局コード一時格納部１５５に着信号局コードが登録されているか確認し、着信号局コードが登録されていた場合（図２２：処理５２１）、着信課金制御装置１２は、信号局コード一時格納部１５５にある発信号局コード２３８及び着信号局コード２３６を基に、接続装置を所有する電話事業者の情報を取得する（処理５２２）。更に、着信課金制御装置１２は、取得した発信号局コード２３８の電話事業者の事業者情報（ここでは、ＩＰ事業者Ｃ）と着信号局コード２３６の電話事業者（ここでは、ＩＰ事業者Ｂ）の事業者情報を基に料金レート格納部１３５を検索し、発呼側電話網２３０と着信側電話網２３１に対応し、且つ、課金形態２３２で選択されている発呼側料金レート２３３（例えば、ｅ／３分）及び着呼側料金レート２３４（例えば、ｕ／３分）を取得する。また、着信課金制御装置１２は、発呼側料金レート２３３を料金算出部１４０の料金レート２４３に格納し、着呼側料金レート２３４を着呼側料金レート一時格納部１５０に一時的に格納する（処理５２３）。
【００８３】
着信課金制御装置１２は、呼接続時間計測部１３０で計測した通話時間（例えば、ｐ分）を、料金算出部１４０の通話時間２４２に格納する（処理５２４）。着信課金制御装置１２は、取得した料金レート２４３と通話時間２４２を基に通話料金を算出し、算出した通話料金の値（例えば、ｍｍｍ円）を料金算出部１４０の通話料金２４４に格納する（処理５２５）。続いて着信課金制御装置１２は、着呼側電話網の事業者情報（ここでは、ＩＰ事業者Ｂ）を料金算出部１４０の課金先２４０に格納する（図２３：処理５２６）。また、着信課金制御装置１２は、発呼側電話網の事業者情報（ここでは、ＩＰ事業者Ｃ）を料金算出部１４０の料金支払先事業者２４１に格納する（処理５２７）。
【００８４】
着信課金制御装置１２は、料金算出部１４０内の料金支払先事業者２４１に格納されている事業者が所有する課金管理装置（ここでは、ＩＰ課金管理装置Ｃ１４）に、課金先を料金算出部１４０内の課金先２４０に格納されている事業者（ここでは、ＩＰ事業者Ｂ）に設定され、及び、料金算出部１４０内の通話料金２４４に格納されている通話料金の値の合計（例えば、ｊｊｊ円、ｋｋｋ円、ｍｍｍ円の合計）を含む料金情報を送信する（処理３３２及び処理５２９）。
【００８５】
ＩＰ課金管理装置Ｃ１４は、料金情報を受信して、課金先に設定された事業者情報に基づき、自装置にあるデータベースの課金先情報２００を検索し、該当する課金先情報２００に対応した課金情報２０１に着信課金制御装置１２から送信されてきた通話料金の合計を加算する。例えば、図６に示すデータベースの例では、エントリ２０２‐Ｎの課金情報２０１に加算される。尚、課金情報２０１には、前回の通話分までが課金されており、新たに受信した課金情報２０１を加算することで料金の管理を行う。
【００８６】
続いて着信課金制御装置１２は、算出した各通話料金２４４を、料金算出部１４０内の次エントリから順に（例えば、通話料金を算出したエントリが２４５−２−ａ〜ｃの場合、２４５−３−ａ〜ｃとなる。）通話料金２４４を格納する（処理５３０）。着信課金制御装置１２は、着呼側料金レート一時格納部１５０に一時的に格納した着呼側料金レート２３４（例えば、ｕ／３分）を、料金算出部１４０のさらに次のエントリ（例えば、上述の算出した料金情報の格納がエントリ２４５−３−ｃまで格納した場合、２４５−３−ｄとなる。図の例では２４５−Ｎ−ｍ）の料金レート２４３に格納する（処理５３１）。続いて着信課金制御装置１２は、呼接続時間計測部１３０で計測した通話時間（例えば、ｐ分）を料金算出部１４０の通話時間２４２に格納する（処理５３７）。着信課金制御装置１２は、取得した料金レート２４３と通話時間２４２を基に通話料金を算出し、算出した通話料金の値（例えば、ｎｎｎ円）を料金算出部１４０の通話料金２４４に格納する（処理５３８）。
【００８７】
続いて、例えば、ＩＰ事業者ＢとＩＰ電話Ｂ１１が接続した場合の課金について説明する。着信課金制御装置１２は、信号局コード一時格納部１５５に着信号局コードが登録されているか確認し、着信号局コードが登録されていない場合（図２２：処理５２１）、着信課金制御装置１２は、着呼先電話番号格納部１２０に格納している着呼先電話番号（ここでは、ＩＰ電話Ｂの電話番号）を、料金算出部１４０の課金先２４０に格納する（処理５３４）。また、着信課金制御装置１２は、発呼側電話網の事業者情報（ここでは、ＩＰ事業者Ｂ）を料金算出部１４０の料金支払先事業者２４１に格納する（処理５３５）。
【００８８】
続いて着信課金制御装置１２は、料金算出部１４０内の料金支払先事業者２４１に格納されている事業者が所有する課金管理装置（ここでは、ＩＰ課金管理装置Ｂ１５）に、課金先が料金算出部１４０内の課金先２４０に格納されている電話番号（ここでは、ＩＰ電話Ｂ１１の電話番号）を設定され、及び、料金算出部１４０内の通話料金２４４に格納されている通話料金の合計（例えば、ｊｊｊ円〜ｎｎｎ円の合計）を含む料金情報を送信する（処理３３３及び処理５３６）。
【００８９】
ＩＰ課金管理装置Ｂ１５は、料金情報を受信して、課金先に設定された電話番号に基づき、自装置にあるデータベースの課金先情報２１０を検索し、該当する課金先情報２１０に対応した課金情報２１１に、着信課金制御装置１２から送信されてきた通話料金の合計を加算する。例えば、図５に示すデータベースの例では、エントリ２１２‐１の課金情報２１１に加算される。なお、課金情報２１１には、前回の通話分までが課金されており、新たに受信した課金情報２１１を加算することで料金の管理を行う。
以上の動作により、ＩＰ電話加入者が着信課金サービス契約者である他ＩＰ事業者のＩＰ電話加入者に発信した場合において着信課金サービスを提供できる。
【００９０】
なお、ＩＰ網Ｃ７は複数のＩＰ網で構成され、ＩＰ電話Ａ１と、ＩＰ電話Ｂ１１が、ＩＰ網ＡとＩＰ網Ｂの間に複数のＩＰ網を介して通信する場合にも、本実施の形態を適用できる。この場合、コールエージェントＣ６は、複数のＩＰ網Ｃ７のそれぞれに応じて複数備えられる。着信課金制御装置１２は、上述の処理５２２〜処理５３８の処理を、信号局コード一時格納部１５５に記憶された着信号局コードがなくなるまで（処理５２１でＮｏと判断されるまで）繰り返す。
【産業上の利用可能性】
【００９１】
ＩＰ電話機と他事業者のＩＰ電話機の相互接続が、例えばＰＳＴＮの替わりに中継ＩＰ網のような第３のＩＰ事業者網を経由することにより実現された電話網に利用可能である。
【図面の簡単な説明】
【００９２】
【図１】着信課金制御装置を備えたＩＰ網と他事業者ＩＰ網との相互接続網構成例。
【図２】コールエージェントのブロック構成例。
【図３】着信課金制御装置のブロック構成例。
【図４】ＩＰ課金管理装置Ａにある料金課金用データベース例。
【図５】ＩＰ課金管理装置Ｂにある料金課金用データベース例。
【図６】ＩＰ課金管理装置Ｃにある料金課金用データベース例。
【図７】着信課金サービス番号格納部にある着信課金サービス用データベース例。
【図８】呼接続情報格納部にあるデータベース例。
【図９】信号局コード格納部にあるデータベース例。
【図１０】料金レート格納部にあるデータベース例。
【図１１】信号局コード一時格納部にあるデータベースの例。
【図１２】料金算出部にあるデータベースの例。
【図１３】着信課金サービス時におけるシーケンス例（着信課金接続処理）。
【図１４】着信課金サービス時におけるシーケンス例（通話終了時）。
【図１５】着信課金サービス時の接続元装置の動作を示したフローチャート例（１）。
【図１６】着信課金サービス時の接続元装置の動作を示したフローチャート例（２）。
【図１７】着信課金サービス時の接続元装置の動作を示したフローチャート例（３）。
【図１８】着信課金サービス時の接続元装置の動作を示したフローチャート例（４）。
【図１９】着信課金サービス時の着信課金制御装置の動作を示したフローチャート例（１）。
【図２０】着信課金サービス時の着信課金制御装置の動作を示したフローチャート例（２）。
【図２１】着信課金サービス時の着信課金制御装置の動作を示したフローチャート例（３）。
【図２２】着信課金サービス時の着信課金制御装置の動作を示したフローチャート例（４）。
【図２３】着信課金サービス時の着信課金制御装置の動作を示したフローチャート例（５）。
【図２４】着信課金サービス時の着信課金制御装置の動作を示したフローチャート例（６）。
【図２５】着信課金サービス時の接続先装置の動作を示したフローチャート例。
【符号の説明】
【００９３】
１．ＩＰ電話Ａ（発信端末）
２．コールエージェント（ＣＡ：Ｃａｌｌ  Ａｇｅｎｔ）‐Ａ
３．ＩＰ（Ｉｎｔｅｒｎｅｔ  Ｐｒｏｔｏｃｏｌ）網Ａ
４．ゲートウェイ（ＧＷ：Ｇａｔｅｗａｙ）‐Ａ
５．共通線信号網
６．コールエージェント（ＣＡ：Ｃａｌｌ  Ａｇｅｎｔ）‐Ｃ
７．ＩＰ（Ｉｎｔｅｒｎｅｔ  Ｐｒｏｔｏｃｏｌ）網Ｃ
８．コールエージェント（ＣＡ：Ｃａｌｌ  Ａｇｅｎｔ）‐Ｂ
９．ゲートウェイ（ＧＷ：Ｇａｔｅｗａｙ）‐Ｂ
１０．ＩＰ（Ｉｎｔｅｒｎｅｔ  Ｐｒｏｔｏｃｏｌ）網Ｂ
１１．ＩＰ電話Ｂ（着信端末）
１２．着信課金制御装置
１３．ＩＰ課金管理装置Ａ
１４．ＩＰ課金管理装置Ｃ
１５．ＩＰ課金管理装置Ｂ
２０．ＩＰ網インタフェース
２５．呼接続プロトコル処理部
３５．音声ガイダンス送出部
４５．呼接続情報格納部
５０．共通線信号網インタフェース
５５．着信課金サービス番号判別部
６０．ＩＰアドレス格納部
６５．着信号局コード格納部
７０．発信号局コード格納部
７５．発呼元電話番号比較部
８０．着呼先電話番号格納部
８５．ＣＡ制御部
１００．共通線信号網インタフェース
１０５．信号局コード格納部
１１０．課金管理装置インタフェース
１１５．着信課金サービス番号格納部
１２０．着呼先電話番号格納部
１２５．発呼元電話番号格納部
１３０．呼接続時間計測部
１３５．料金レート格納部
１４０．料金算出部
１５０．着呼側料金レート一時格納部
１５５．信号局コード一時格納部
１６５．着信課金制御部
【図１】
2006197199.tif 000003
【図２】
2006197199.tif 000004
【図３】
2006197199.tif 000005
【図４】
2006197199.tif 000006
【図５】
2006197199.tif 000007
【図６】
2006197199.tif 000008
【図７】
2006197199.tif 000009
【図８】
2006197199.tif 000010
【図９】
2006197199.tif 000011
【図１０】
2006197199.tif 000012
【図１１】
2006197199.tif 000013
【図１２】
2006197199.tif 000014
【図１３】
2006197199.tif 000015
【図１４】
2006197199.tif 000016
【図１５】
2006197199.tif 000017
【図１６】
2006197199.tif 000018
【図１７】
2006197199.tif 000019
【図１８】
2006197199.tif 000020
【図１９】
2006197199.tif 000021
【図２０】
2006197199.tif 000022
【図２１】
2006197199.tif 000023
【図２２】
2006197199.tif 000024
【図２３】
2006197199.tif 000025
【図２４】
2006197199.tif 000026
【図２５】
2006197199.tif 000027